(57)【要約】【課題】電池の残量が僅かでも、緊急連絡等受信用の電池を確保できるようにする。【解決手段】通信端末２Ａと携帯通信端末２Ｂと、これらの端末間を無線通信で接続する無線通信接続システム３とからなる無線通信システム１であって、携帯通信端末２Ｂは、無線通信接続システム３に電池残量を通知する残量状況通知手段４を備えている。無線通信接続システム３は、携帯通信端末２Ｂから通知を受けた電池残量を書き替え可能に保存する残量状況保存手段４を有し、通信端末２Ａから、携帯通信端末２Ｂへの接続要求を受けたときは、残量状況保存手段４に保存されている携帯通信端末２Ｂの電池残量を参照する。無線通信接続システム３は、電池残量を参照した結果、所定の残量を下回るときは、通信端末２Ａと携帯通信端末２Ｂとを接続する接続処理に進む前に、通信端末２Ａに対して、接続要求の取り止め又は変更の推奨又は要求の案内を行う。【選択図】図１
2009177509.tif 000002
【特許請求の範囲】
【請求項１】
通信端末と携帯通信端末と、これらの端末間を無線通信で接続する無線通信接続システムとからなる無線通信システムであって、
前記携帯通信端末は、前記無線通信接続システムに電池残量を通知する残量状況通知手段を備え、かつ、
前記無線通信接続システムは、
前記携帯通信端末から通知を受けた前記電池残量を書き替え可能に保存する残量状況保存手段を有し、
前記通信端末から、前記携帯通信端末への接続要求を受けたときは、前記残量状況保存手段に保存されている前記携帯通信端末の前記電池残量を参照し、参照の結果、所定の残量を下回るときは、前記通信端末と前記携帯通信端末とを接続する接続処理に進む前に、前記通信端末に対して、接続要求の取り止め又は変更の推奨又は要求の案内を行うように構成されていることを特徴とする携帯通信端末用の無線通信システム。
【請求項２】
前記案内は、発信側の前記通信端末に対して、音声で、又はプレゼンス情報として表示部に表示させて、行うことを特徴とする請求項１記載の携帯通信端末用の無線通信システム。
【請求項３】
前記無線通信接続システムは、前記案内の終了後、直ぐに、又は、発信側の前記通信端末が、所定の期間内に、終話ボタンを押下しなかったときは、前記通信端末と前記携帯通信端末との接続処理に進むことを特徴とする請求項１記載の携帯通信端末用の無線通信システム。
【請求項４】
発信側の前記通信端末に対する前記案内には、少なくとも、電池残量案内と、接続見直し案内と、ボタン操作による接続手順を教示する接続手順案内とが含まれていると共に、
前記無線通信接続システムは、発信側の前記通信端末が、前記案内に従う前記ボタン操作を行ったときは、前記通信端末と前記携帯通信端末との接続処理に進む一方、発信側の前記通信端末が、前記案内の終了後、所定の期間内に、前記案内に従う前記ボタン操作を行わなかったときは、回線を切断することを特徴とする請求項１記載の携帯通信端末用の無線通信システム。
【請求項５】
前記携帯通信端末は、さらに、「着信を受付ける電話番号を指定する」着信許可リストを作成して、前記無線通信接続システムに送信する着信許可リスト手段を備え、かつ、
前記無線通信接続システムは、前記携帯通信端末から送信を受けた前記着信許可リストを保存する着信許可リスト保存手段を有し、
前記着信許可リストの中に含まれている電話番号の前記通信端末から、前記携帯通信端末への接続要求を受けたときは、
前記通信端末と前記携帯通信端末との接続処理に進むことを特徴とする請求項１記載の携帯通信端末用の無線通信システム。
【請求項６】
前記携帯通信端末は、さらに、「着信を拒否する電話番号を指定する」着信拒否リストを作成して、前記無線通信接続システムに送信する着信拒否リスト手段とを備え、かつ、
前記無線通信接続システムは、前記携帯通信端末から通知を受けた前記着信拒否リストを保存する着信拒否リスト保存手段を有し、
前記通信端末から、前記携帯通信端末への接続要求を受けたときは、前記携帯通信端末の前記電池残量と前記着信拒否リストとを参照し、前記電池残量が下回り、かつ、当該接続要求が、前記着信拒否リストの中に含まれている電話番号の前記通信端末からの接続要求であるときは、
前記通信端末に対して、接続しないことの通知を含む案内を行わせた後、当該回線を切断することを特徴とする請求項１記載の携帯通信端末用の無線通信システム。
【請求項７】
発信側の前記通信端末が、前記案内に従って、前記携帯通信端末への接続要求を取り止めた後、前記携帯通信端末の電池が充電により回復したときは、当該携帯通信端末への接続要求を取り止めた発信側の前記通信端末の電話番号を当該携帯通信端末に通知する未接続電話番号通知サービスを備えていることを特徴とする請求項１記載の携帯通信端末用の無線通信システム。
【請求項８】
通信端末と携帯通信端末と、これらの端末間を無線通信で接続する無線通信接続システムとからなる無線通信システムであって、
前記携帯通信端末は、前記無線通信接続システムに電池残量を通知する残量状況通知手段を備え、かつ、
前記無線通信接続システムは、
前記携帯通信端末から通知を受けた前記電池残量を保存し更新し管理するデータ管理手段と、
前記通信端末から、前記携帯通信端末への接続要求を受けたときは、前記携帯通信端末の前記電池残量について、前記データ管理手段に問い合わせ、問い合わせの結果、所定の残量を下回るときは、前記通信端末と前記携帯通信端末とを接続する接続処理に進む前に、接続要求の取り止め又は変更の推奨又は要求の案内の実行を指示する案内指示信号を出力する接続制御手段と、
該接続制御手段から前記案内指示信号を受けると、前記通信端末に対して、接続要求の取り止め又は変更の推奨又は要求の前記案内を行う電池事情案内手段とを備えてなることを特徴とする携帯通信端末用の無線通信システム。
【請求項９】
前記電池事情案内手段は、発信側の前記通信端末に対して、音声で、又はプレゼンス情報として表示部に表示させて、前記案内を行うことを特徴とする請求項８記載の携帯通信端末用の無線通信システム。
【請求項１０】
前記無線通信接続システムは、前記電池事情案内手段によって行われた前記案内の終了後、直ぐに、又は、発信側の前記通信端末が、所定の期間内に、終話ボタンを押下しなかったときは、前記通信端末と前記携帯通信端末との接続処理に進むことを特徴とする請求項８記載の携帯通信端末用の無線通信システム。
【請求項１１】
発信側の前記通信端末に対して前記電池事情案内手段が行う前記案内には、少なくとも、電池残量案内と、接続見直し案内と、ボタン操作による接続手順を教示する接続手順案内とが含まれていると共に、
前記接続制御手段は、発信側の前記通信端末が、前記案内に従う前記ボタン操作を行ったときは、前記通信端末と前記携帯通信端末との接続処理に進む一方、発信側の前記通信端末が、前記電池事情案内手段による前記案内の終了後、所定の期間内に、前記案内に従う前記ボタン操作を行わなかったときは、前記接続制御手段は回線を切断することを特徴とする請求項８記載の携帯通信端末用の無線通信システム。
【請求項１２】
発信側の前記通信端末が、前記案内に従って、前記携帯通信端末への接続要求を取り止めた後、前記携帯通信端末の電池が充電により回復したときは、当該携帯通信端末への接続要求を取り止めた発信側の前記通信端末の電話番号を当該携帯通信端末に通知する未接続電話番号通知サービスを備えていることを特徴とする請求項８記載の携帯通信端末用の無線通信システム。
【請求項１３】
通信端末と携帯通信端末と、これらの端末間を無線通信で接続する無線通信接続システムとからなる無線通信システムで用いられる無線通信接続方法であって、
前記携帯通信端末に、電池残量を前記無線通信接続システムに通知する残量状況通知処理を実行させ、かつ、
前記無線通信接続システムに、前記携帯通信端末から通知を受けた前記電池残量を保存し更新し管理する残量状況管理処理と、
前記通信端末から、前記携帯通信端末への接続要求を受けたときは、前記残量状況管理処理にて管理される前記携帯通信端末の前記電池残量を参照し、参照の結果、所定の残量を下回るときは、前記通信端末と前記携帯通信端末とを接続する接続処理に進む前に、前記通信端末に対して、接続要求の取り止め又は変更の推奨又は要求の案内を行う電池事情案内処理とを実行させることを特徴とする携帯通信端末用の無線通信接続方法。
【請求項１４】
前記電池事情案内処理では、発信側の前記通信端末に対して、音声で、又はプレゼンス情報として表示部に表示させて、前記案内を行わせることを特徴とする請求項１３記載の携帯通信端末用の無線通信接続方法。
【請求項１５】
前記電池事情案内処理による前記案内の終了後、直ぐに、又は、発信側の前記通信端末が、所定の期間内に、終話ボタンを押下しなかったときは、前記無線通信接続システムに、前記通信端末と前記携帯通信端末との接続処理を実行させることを特徴とする請求項１３記載の携帯通信端末用の無線通信接続方法。
【請求項１６】
発信側の前記通信端末に対して前記電池事情案内処理が行う前記案内には、少なくとも、電池残量案内と、接続見直し案内と、ボタン操作による接続手順を教示する接続手順案内とを含ませると共に、
発信側の前記通信端末が、前記案内に従う前記ボタン操作を行ったときは、前記無線通信接続システムに、前記通信端末と前記携帯通信端末との接続処理を実行させる一方、発信側の前記通信端末が、前記電池事情案内処理による前記案内の終了後、所定の期間内に、前記案内に従う前記ボタン操作を行わなかったときは、当該回線の切断処理を実行させることを特徴とする請求項１３記載の携帯通信端末用の無線通信接続方法。
【請求項１７】
前記携帯通信端末に、さらに、「着信を受付ける電話番号を指定する」着信許可リストを作成して、前記無線通信接続システムに送信する着信許可リスト作成送信処理を実行させ、かつ、
前記無線通信接続システムに、さらに、前記携帯通信端末から送信を受けた前記着信許可リストを保存し更新し管理する着信許可リスト管理処理を実行させ、
前記着信許可リストの中に含まれている電話番号の前記通信端末から、前記携帯通信端末への接続要求を受けたときは、前記通信端末と前記携帯通信端末との接続処理を実行させることを特徴とする請求項１３記載の携帯通信端末用の無線通信接続方法。
【請求項１８】
前記携帯通信端末に、さらに、「着信を拒否する電話番号を指定する」着信拒否リストを作成して、前記無線通信接続システムに送信する着信拒否リスト作成送信処理を実行させ、かつ、
前記無線通信接続システムに、さらに、前記携帯通信端末から通知を受けた前記着信拒否リストを保存し更新し管理する着信拒否リスト管理処理を実行させると共に、
前記通信端末から、前記携帯通信端末への接続要求を受けたときは、前記携帯通信端末の前記電池残量と前記着信拒否リストとを参照させ、前記電池残量が下回り、かつ、当該接続要求が、前記着信拒否リストの中に含まれている電話番号の前記通信端末からの接続要求であるときは、
前記電池事情案内処理の実行として、前記通信端末に対して、接続しないことの通知を含む案内を実行させた後、当該回線の切断処理を実行させることを特徴とする請求項１３記載の携帯通信端末用の無線通信接続方法。
【請求項１９】
通信端末と携帯通信端末と、これらの端末間を無線通信で接続する無線通信接続システムとからなる無線通信システムで用いられる無線通信接続方法であって、
前記携帯通信端末に、電池残量を前記無線通信接続システムに通知する残量状況通知処理を実行させ、かつ、
前記無線通信接続システムに、
前記携帯通信端末から通知を受けた前記電池残量を保存し更新し管理するデータ管理処理と、
前記通信端末から、前記携帯通信端末への接続要求を受けたときは、前記携帯通信端末の前記電池残量について、前記データ管理処理に問い合わせ、問い合わせの結果、所定の残量を下回るときは、前記通信端末と前記携帯通信端末とを接続する接続処理に進む前に、接続要求の取り止め又は変更の推奨又は要求の案内の実行を指示する案内指示信号を出力する接続制御処理と、
該接続制御処理から前記案内指示信号を受けると、前記通信端末に対して、接続要求の取り止め又は変更の推奨又は要求の前記案内を行う電池事情案内処理とを実行させることを特徴とする携帯通信端末用の無線通信接続方法。
【請求項２０】
前記電池事情案内処理では、発信側の前記通信端末に対して、音声で、又はプレゼンス情報として表示部に表示させて、前記案内を行わせることを特徴とする請求項１９記載の携帯通信端末用の無線通信接続方法。
【請求項２１】
前記電池事情案内処理による前記案内の終了後、直ぐに、又は、発信側の前記通信端末が、所定の期間内に、終話ボタンを押下しなかったときは、前記無線通信接続システムに、前記通信端末と前記携帯通信端末との接続処理に実行させることを特徴とする請求項１９記載の携帯通信端末用の無線通信接続方法。
【請求項２２】
発信側の前記通信端末に対して前記電池事情案内処理が行う前記案内には、少なくとも、電池残量案内と、接続見直し案内と、ボタン操作による接続手順を教示する接続手順案内とを含ませると共に、
発信側の前記通信端末が、前記案内に従う前記ボタン操作を行ったときは、前記無線通信接続システムに、前記接続制御処理の実行として、前記通信端末と前記携帯通信端末との接続処理を実行させる一方、発信側の前記通信端末が、前記電池事情案内処理による前記案内の終了後、所定の期間内に、前記案内に従う前記ボタン操作を行わなかったときは、当該回線の切断処理を実行させることを特徴とする請求項１９記載の携帯通信端末用の無線通信接続方法。
【請求項２３】
通信端末と携帯通信端末と、これらの端末間を無線通信で接続する無線通信接続システムとからなると共に、前記携帯通信端末が、当該無線接続通信システムに電池残量を通知する構成の無線通信システムを実現させるためのコンピュータ読み取り可能な無線通信接続プログラムであって、
コンピュータに、前記携帯通信端末から通知を受けた前記電池残量を保存し更新し管理する残量状況管理処理と、
前記通信端末から、前記携帯通信端末への接続要求を受けたときは、前記残量状況管理処理にて管理される前記携帯通信端末の前記電池残量を参照し、参照の結果、所定の残量を下回るときは、前記通信端末と前記携帯通信端末とを接続する接続処理に進む前に、前記通信端末に対して、接続要求の取り止め又は変更の推奨又は要求の案内を行う電池事情案内処理とを実行させることを特徴とする携帯通信端末用の無線通信接続プログラム。
【発明の詳細な説明】
【技術分野】
【０００１】
この発明は、携帯通信端末用の無線通信システム、該システムで用いられる無線通信接続方法及び無線通信接続プログラムに係り、詳しくは、着信側の携帯通信端末の電池事情に配慮した携帯通信端末用の無線通信システム、該システムで用いられる無線通信接続方法及び無線通信接続プログラムに関する。
【背景技術】
【０００２】
携帯電話機は、本来の通話機能の他に、例えば、計算機能、時計表示機能、メモ帳機能、電話帳機能、既着メール表示機能、及び音楽再生機能等の内部機能（以下、電話帳機能等という）も充実してきており、携帯情報端末としての役割がますます増加している。
【０００３】
一方、携帯電話機は、固定電話機とは異なり、充電可能な電池（二次電池）で駆動されるものなので、外部との通信によって電池の消耗が急激に進む、という問題がある。電池が残り僅かになっている状態の携帯電話機との通話中に、突然、当該携帯電話機が電池切れして、通話が途切れてしまえば、発信側には、話しの途中で通話が切れたのでは不満が残る上、何故途切れたのか理由が判らないので、不安でもある。
【０００４】
電池切れに起因して、突然通話が途切れる不都合を緩和する手段としては、特許文献１に記載の携帯無線電話装置が提案されている。特許文献１に記載の携帯無線電話装置は、電池を使用しての通話可能な残り時間を求める求時手段と、該求時手段によって求められた通話可能な残り時間を、交換機を介して、通信相手にも通知する手段とを備えることで、相手側の迷惑を低減できるようにしている。
【０００５】
また、特許文献２には、電池の電圧が所定値以下の電圧になると、回線を切断し、通信相手先へ回線を切断する切断理由通知を発した後、回線を切断することで、電池の消耗を長引かせること等を目的とする無線携帯端末が提案されている。
【０００６】
また、特許文献３には、電池残量を検出する電池残量検出手段を備え、電池残量が所定値以下になると、（紛失した携帯電話装置を探している）発呼者に、「電池が残り僅かである」ことを音声で知らせる通知手段を備えることで、電池の消耗を長引かせることを目的とする携帯電話装置が提案されている。
【０００７】
携帯電話機は、外部との通信によって電池の消耗が急激に進む他、電話帳機能等を実行することによっても、電池の消耗が進む、という問題もある。
【０００８】
そこで、電池の残量が残り僅かになったときは、外部との通信機能を犠牲にしてでも、携帯電話機が備える電話帳機能等を維持すべきであるとの観点から、特許文献４の携帯電話機が提案されている。
特許文献４の携帯電話機は、電池の残量を検出する残量検出部と、着信規制情報を記憶するメモリと、上記残量検出部によって検出された電池残量が設定値以下になったとき、上記メモリから着信規制情報を読出し、読出した着信規制情報をサービス制御局へ送信する制御回路とを有している。サービス制御局は、制御回路からの着信規制情報を取得すると、これを登録しておき、他の携帯電話機や固定電話機から着信規制中の携帯電話機への着信要求があったときは、着信先の電話番号が着信規制登録されているかを検索し、着信先の電話番号が着信規制されているときは、その電話番号の携帯電話機への着信を無条件に拒否する。これによって、電池が残り僅かになったときでも、さしあたり、電話帳機能等の維持に必要な電池を確保できるようにしている。
【特許文献１】特開２０００−０４９９１１号公報
【特許文献２】特開２００１−２６８１７９号公報
【特許文献３】特開２００４−２８９３４６号公報
【特許文献４】特開２００２−１９９０９２号公報
【発明の開示】
【発明が解決しようとする課題】
【０００９】
ところで、携帯電話機は、いつでもどこでも相手を呼び出して通話ができるという点で、緊急事項や重要事項等の伝達手段としても、大変有用なものであるので、常に電池を残しておく必要性がますます高まってきている。
しかしながら、特許文献１の構成によれば、通話可能な残り時間のぎりぎりまで通話した後、緊急連絡や重要連絡の電話が掛かってきても、もはや、電池切れが生じて、接続できない事態になる虞がある。
また、特許文献２では、電池の電圧が所定値以下の電圧になると、緊急連絡や重要連絡の電話を掛けても、切断されてしまうので、不都合である。
また、特許文献３の非常用手段を通常の携帯電話装置に適用した場合、次のような不都合がある。すなわち、「電池の残量が少なくなっている」ことを音声で知らされても、発呼者の中には、その意図するところを理解できず、緊急連絡でも重要連絡でもない冗長な通話をしてくることも考えられる。このような場合には、この後、別の者が、緊急連絡や重要連絡の電話を掛けても、もはや、電池切れが生じて、接続できない事態になる虞がある。そもそも、着信がある度に、発信側の電話機に対して、「電池残量が少なくなっている」ことを音声で通知するだけでも、電池の消耗は進んで行くので、不都合である。
また、特許文献４の携帯電話機では、電池の残量が少なくなっている携帯電話機への着信は、無条件に拒否されるので、緊急連絡や重要連絡もできないことになって、甚だ不都合である。
【００１０】
この発明は、上述の事情に鑑みてなされたもので、電池切れが近い状況になっても、緊急連絡又は重要連絡通信用の電池量は確保できるように、配慮がなされた携帯通信端末用の無線通信システム、該システムで用いられる無線通信接続方法及び無線通信接続プログラムを提供することを目的としている。
【課題を解決するための手段】
【００１１】
上記課題を解決するために、この発明の第１の構成は、通信端末と携帯通信端末と、これらの端末間を無線通信で接続する無線通信接続システムとからなる無線通信システムに係り、前記携帯通信端末が、前記無線通信接続システムに電池残量を通知する残量状況通知手段を備え、かつ、前記無線通信接続システムが、前記携帯通信端末から通知を受けた前記電池残量を書き替え可能に保存する残量状況保存手段を有し、前記通信端末から、前記携帯通信端末への接続要求を受けたときは、前記残量状況保存手段に保存されている前記携帯通信端末の前記電池残量を参照し、参照の結果、所定の残量を下回るときは、前記通信端末と前記携帯通信端末とを接続する接続処理に進む前に、前記通信端末に対して、接続要求の取り止め又は変更の推奨又は要求の案内を行うように構成されていることを特徴としている。
【００１２】
この発明の第２の構成は、通信端末と携帯通信端末と、これらの端末間を無線通信で接続する無線通信接続システムとからなる無線通信システムで用いられる無線通信接続方法に係り、前記携帯通信端末に、電池残量を前記無線通信接続システムに通知する残量状況通知処理を実行させ、かつ、前記無線通信接続システムに、前記携帯通信端末から通知を受けた前記電池残量を保存し更新し管理する残量状況管理処理と、前記通信端末から、前記携帯通信端末への接続要求を受けたときは、前記残量状況管理処理にて管理される前記携帯通信端末の前記電池残量を参照し、参照の結果、所定の残量を下回るときは、前記通信端末と前記携帯通信端末とを接続する接続処理に進む前に、前記通信端末に対して、接続要求の取り止め又は変更の推奨又は要求の案内を行う電池事情案内処理とを実行させることを特徴としている。
【００１３】
また、この発明の第３の構成は、通信端末と携帯通信端末と、これらの端末間を無線通信で接続する無線通信接続システムとからなると共に、前記携帯通信端末が、当該無線接続通信システムに電池残量を通知する構成の無線通信システムを実現させるためのコンピュータ読み取り可能な無線通信接続プログラムに係り、コンピュータに、前記携帯通信端末から通知を受けた前記電池残量を保存し更新し管理する残量状況管理処理と、前記通信端末から、前記携帯通信端末への接続要求を受けたときは、前記残量状況管理処理にて管理される前記携帯通信端末の前記電池残量を参照し、参照の結果、所定の残量を下回るときは、前記通信端末と前記携帯通信端末とを接続する接続処理に進む前に、前記通信端末に対して、接続要求の取り止め又は変更の推奨又は要求の案内を行う電池事情案内処理とを実行させることを特徴としている。
【発明の効果】
【００１４】
このように、この発明の構成によれば、着信側携帯通信端末の電池の消耗が進んでいるときは、当該携帯通信端末の代わりに、無線通信接続システムが、発信側通信端末に対して、「緊急連絡又は重要連絡以外の接続要求の取り止め」を促すための電池事情についての案内を行う。それゆえ、発信者は、着信側の携帯通信端末の電池事情に配慮して、緊急連絡でも重要連絡でもなければ接続を取り止めるであろうから、電池の無用の消耗を阻止できることが期待できる。このため、電池残量が乏しくなったときでも、真の緊急連絡又は重要連絡を受けることができる。このような場合でも、緊急連絡者又は重要連絡者は、予め着信側の携帯通信端末の電池残量が少ないという事情を認識しているので、被呼者に対して、てきぱきと連絡を伝える努力をするであろうから、この点からも、電池の無用の消耗を阻止できる。このようにして節約される電力は、もちろん、電池の乏しい携帯通信端末の側から、他の通信端末に対して緊急連絡又は重要連絡をしなければならない事態が発生した場合にも、大変助かる電力となる。
【発明を実施するための最良の形態】
【００１５】
電池が残り僅かな状態になったときは、電源を切れば、電池の寿命を長引かせることはできる。しかしながら、これでは、いざというときの緊急連絡や重要連絡を受信できないので意味がない。そこで、この発明を実施するための最良の形態として、無線通信システムが、着信側の携帯電話機に代行して、発信側通信端末に着信側携帯電話機の乏しい電池事情を通知する構成とした。これにより、着信側の携帯電話機は、電源を切らずに、緊急連絡や重要連絡だけを待機でき、不必要な電池の消耗を防止できる。
【実施形態１】
【００１６】
以下、図面を参照して、この発明の実施形態について詳細に説明する。
図１は、この発明の第１の実施形態による携帯電話機用の無線通信システムの概略構成を示す模式図である。
この実施形態の無線通信システム１は、図１に示すように、固定電話機を含む発信側の通信端末２Ａと着信側の携帯通信端末２Ｂと、これらの端末間２Ａ、２Ｂを無線通信で接続する無線通信接続システム３とからなっている。
携帯通信端末２Ｂは、例えば、制御チャネルを介して、無線通信接続システム３に「電池の残量状況」ＤＡＴを通知する図示せぬ残量状況通知手段を備えている。
ここで、「電池の残量状況」ＤＡＴについては、図示せぬ検出手段によって検出された電池残量をパーセント表示等の量的表示で通知しても良く、残量の程度を複数段階に分けたレベル表示等の質的表示で通知しても良い。また、無線通信接続システム３に対して、「電池の残量状況」を、間欠的に通知するようにしても良いが、電池の残量が、レベル毎に設けた設定値に到達する毎に通知するようにしても良い。なかでも、携帯通信端末２Ｂの電池残量通知手段が、「電池切れが近い状況になった」との想定の基で、予め設定された基準値にまで、電池の残量が低下したときに限りは、無線通信接続システム３に「電池の残量状況」を通知する構成とするのが、電池の節約の面からも、無線通信接続システム３の負担を軽減するためにも好ましい。これに対して、パーセント表示等の量的表示による電池残量状況の通知では、無線通信接続システム３の側で、残量状況保存手段４に保存されている携帯通信端末２Ｂの「電池の残量状況」ＤＡＴを参照して、電池切れが近い状況にまで、当該電池の残量が低下しているか否かを判断する処理が必要となる。
【００１７】
無線通信接続システム３は、既存の無線基地局、加入者交換局、サービス制御局、及び関門交換局等から構成され、この実施形態では、さらに、各ユーザの携帯通信端末２Ｂから通知を受けた「電池の残量状況」ＤＡＴを書き替え可能に保存する残量状況保存手段４を有している。
この実施形態の無線通信接続システム３は、発信側の通信端末２Ａから、携帯通信端末２Ｂへの接続要求ＲＥＱを受けたときは、残量状況保存手段４に保存されている携帯通信端末２Ｂの「電池の残量状況」ＤＡＴを参照し、参照ＲＥＦの結果、「電池切れが近い状況にまで、着信側の携帯通信端末２Ｂの電池の残量が低下している」ときは、通信端末２Ａと携帯通信端末２Ｂとを接続する接続処理に進む前に、通信端末２Ａに対して、「緊急連絡又は重要連絡以外の接続要求の取り止め」を促すための電池事情についての案内ＡＮＳを行うサービス機能を有している。
【００１８】
ここで、「緊急連絡又は重要連絡以外の接続要求の取り止め」を促すための電池事情についての案内ＡＮＳには、少なくとも、「電池切れが近い状況にまで、送信相手先の携帯通信端末２Ｂの電池の残量が低下している」ことを伝える電池残量案内と、「緊急連絡又は重要連絡以外の接続要求を差し控える」ことを促す接続見直し案内が含まれる。好ましくは、さらに、「緊急連絡又は重要連絡のための、ボタン操作による接続手順」を教示する接続手順案内を含めても良い。
【００１９】
次に、図１を参照して、この実施形態の動作について説明する。
携帯通信端末２Ｂの図示せぬ残量状況通知手段は、例えば、制御チャネルを介して、無線通信接続システム３に「電池の残量状況」ＤＡＴを通知する。無線通信接続システム３は、各ユーザの携帯通信端末２Ｂから通知を受けた「電池の残量状況」ＤＡＴを残量状況保存手段４に格納して保存管理する。
この状態において、発信側の通信端末２Ａから、携帯通信端末２Ｂへの接続要求ＲＥＱを受けたときは、残量状況保存手段４に保存されている携帯通信端末２Ｂの「電池の残量状況」ＤＡＴを参照する。参照ＲＥＦの結果、「電池の残量が充分」であれば、通信端末２Ａと携帯通信端末２Ｂとを接続するための通常の接続処理動作に進む。一方、参照の結果、「電池切れが近い状況にまで、着信側の携帯通信端末２Ｂの電池の残量が低下している」ときは、通信端末２Ａと携帯通信端末２Ｂとを接続する接続処理に進む前に、通信端末２Ａに対して、「緊急連絡又は重要連絡以外の接続要求の取り止め」を促すための電池事情についての案内ＡＮＳをサービス業務として行う。
【００２０】
例えば、発信側の通信端末２Ａに対して、「電池切れが近い状況にまで、着信側の携帯通信端末２Ｂの電池の残量が低下している」ことを音声で通知案内ＡＮＳすると共に、緊急連絡又は重要連絡の場合の接続条件として、着信側の携帯電話機２Ｂとの接続要求継続を指定する方法を音声で通知する。より具体的な例としては、「お掛けになった電話番号の携帯電話機は、ただいま、電池の残量が僅かとなっております。緊急連絡又は重要連絡等でなければ、後日又は後刻、あらためてのご連絡をお願い致します。」と、続いて、「緊急連絡又は重要連絡なら、おつなぎしますので、ボタン＃１を押してください。」と、続いて、「１０秒以内にボタン＃１が押されないときは、接続処理を中止致します。」と、音声で案内ＡＮＳする。なお、緊急連絡又は重要連絡の際の接続条件としては、ボタン操作に代えて、例えば、「緊急連絡又は重要連絡なら、おつなぎしますので、そのままお待ち下さい。」等のボタン不作為もあり得る。
また、電池事情についての案内ＡＮＳは、発信側の通信端末２Ａに対して、音声で行うのが好ましいが、音声に代えて、あるいは、音声と併用して、プレゼンス情報として表示部に表示させても良い。
【００２１】
発信者は、無線通信接続システム３からの案内により、携帯電話機２Ｂの電池残量が僅かであることを知る。そして、携帯電話機２Ｂへの接続を引き続き望むか、あるいは、断念するかの判断を迫られる。ここで、緊急連絡又は重要連絡のために、携帯電話機２Ｂを発呼しているときは、携帯電話機２Ｂの電池残量が僅かでも、（緊急連絡又は重要連絡を受け得る電池量は確保できていることを認識できるので、）案内ＡＮＳに従って、接続要求継続の操作を行う（図１のＹＥＳ）。
これに対して、緊急又は重要な連絡ではないときは、発信者は、着信側の電池残量事情を配慮して、携帯電話機２Ｂへの発呼を取り止める（同図のＮＯ）。これにより、携帯電話機２Ｂの電池の節減を図ることができる。
【００２２】
上記構成の無線通信接続システム３は、ＣＰＵ、ＲＯＭ、ＲＡＭ、外部記憶装置、インタフェース等からなる図示せぬコンピュータを制御する無線通信接続プログラムによるソフトウェア構成によっても実現できる。
上記無線通信接続プログラムは、コンピュータに、携帯通信端末２Ｂから通知を受けた「電池の残量状況」ＤＡＴを保存し更新し管理する残量状況管理処理を実行させる残量状況管理処理サブプログラムと、発信側の通信端末２Ａから、携帯通信端末２Ｂへの接続要求を受けたときは、上記残量状況管理処理にて管理される携帯通信端末２Ａの「電池の残量状況」を参照し、参照の結果、「電池切れが近い状況にまで、携帯通信端末２Ｂの電池の残量が低下している」ときは、通信端末２Ａと前記携帯通信端末２Ｂとを接続する接続処理に進む前に、通信端末２Ａに対して、「緊急連絡又は重要連絡以外の接続要求の取り止め」を促すための電池事情についての案内を行う電池事情案内処理とを実行させる電池事情案内処理サブプログラムとから構成される。
【００２３】
このように、この第１の実施形態の携帯電話機によれば、電池残量が乏しくなったときでも、緊急連絡又は重要連絡受信用の電力として、必要最小限の電池量を残して置くことを期待できる。また、緊急連絡又は重要連絡等が着信した際にも、発信者は、予め着信者の携帯電話機の電池残量が少ないという通知を受けているので、被呼者に対して、てきぱきと連絡を伝える努力をするであろうから、この点からも、電池の無用の消耗を阻止できる。このようにして節約される電力は、もちろん、携帯電話機の所有者自身が、他者に対して緊急連絡又は重要連絡をしなければならない事態が発生した場合にも、大変助かる電力となる。
【実施形態２】
【００２４】
図２は、この発明の第２の実施形態による携帯電話機用の無線通信システムの概略構成を示す模式図、また、図３は、同無線通信システムの動作処理の流れを示すフローチャートである。
この実施形態の無線通信システム１Ａは、図２に示すように、固定電話機や携帯電話機２Ａ等の発信側の電話機と着信側の携帯電話機２Ｂと、これらの電話機２Ａ、２Ｂ間を無線通信で接続する無線通信接続システム３Ａとから構成されている。
無線通信接続システム３Ａは、従来から知られている図示せぬ無線基地局及び交換機（交換局）に加えて、同図に示すように、携帯電話機（通信端末、携帯通信端末）２Ａ、２Ｂ同士又は携帯電話機２Ａ、２Ｂと図示せぬ固定電話機（通信端末）とを接続させる接続制御手段５と、加入者データを登録管理する加入者データ管理手段（データ管理手段）６と、着信側の携帯電話の電池事情を発信側の電話機に音声案内する音声案内手段（電池事情案内手段）７とを備えて概略構成されている。
【００２５】
次に、この実施形態の構成各部について説明する。
この無線通信システム１Ａに適応可能な複数機種の携帯電話機のうち、少なくとも、携帯電話機２Ｂの機種のものは、本来の通話機能や電話帳機能等の他、電池が残り僅かになったときは、「緊急連絡又は重要連絡」以外は、当該電話機への発呼を差し控えてもらうために、無線通信接続システム３Ａを構成する加入者データ管理手段６に「電池が残り僅かである」ことを通知する電池残量通知機能を備えている。
上記携帯電話機２Ｂは、上記電池残量通知機能として、電池の消耗が進んだか否かの基準となる（電圧）基準値を設定するための図示せぬ基準値設定手段と、電池の残量を検出し、電池の残量が設定された基準値まで低下すると、残量検出信号を出力する図示せぬ残量検出手段と、この残量検出手段から残量検出信号が入力されると、残量通知信号を生成し、生成した残量通知信号を制御チャネル（例えば、Ｄチャネル）を使用して加入者データ管理手段６に送信する（図２のＳ１）と共に、充電により電池が回復したときは、電池が回復したことを知らせる電池回復信号を生成し、生成した電池回復信号を、制御チャネルを用いて加入者データ管理手段６に送信する図示せぬ電池残量通知手段とからなっている。
【００２６】
ここで、携帯電話機２Ａ、２Ｂの電池がどの程度消耗したら、残り分は非常用電池として確保しておくべきかの判断基準については、装置設計者が予め基準値を固定的に設定しても良いが、この実施形態では、ユーザが、上記基準値設定手段を操作して、任意にその基準値を設定変更できるようなっている。
なお、この実施形態では、残量通知信号を、制御チャネルを用いて加入者データ管理手段６に送信するようにしたが、これに代えて、例えば、ショートメッセージ通知機構を利用して、加入者データ管理手段６に通知するようにしても良い。また、この実施形態では、残量通知信号を加入者データ管理手段６へ自動送信するようにしたが、これに代えて、ユーザが、電池の残量を示すインジケータを見て、「電池の消耗が進んでいる」と判断したら、所定の入力操作により、加入者データ管理手段６に電池残量通知を行うことができるようにしても良い。
【００２７】
接続制御手段５は、図示せぬ無線基地局と交換機（交換局）との間又は交換機と他の交換機との間に設置されて、発呼の信号を受けたときは（同図Ｓ２）、加入者データ管理手段６から提供される加入者データ等を参照して、発信側の携帯電話機又は図示せぬ固定電話機を着信側の携帯電話機に接続する処理を行う。
【００２８】
また、加入者データ管理手段６は、サービス管理局として、加入者の電話機の位置情報、電波受信状態、及び管轄交換局情報等、本来の加入者データを管理する機能に加えて、この実施形態では、「電池残量状況」の管理項目を設け、携帯電話機からの電池残量通知を受けて（同図Ｓ１）、加入者の携帯電話機の電池状態が、「残り僅かな（残量に余裕が無い）」状態であるか、「残量に余裕が有る」状態であるかを登録して管理する構成となっている。
【００２９】
上記接続制御手段５の構成について、さらに、詳述する。
接続制御手段５は、発信側の電話機から発呼の信号を受けたときは（同Ｓ２）、加入者データ管理手段６に、位置情報等、発信側の電話機が着信側の携帯電話機と接続するために必要な加入者データの提供を要求すると共に、着信側の携帯電話機の「電池残量状況」を問い合わせる（同Ｓ３）。次に、接続制御手段５は、問い合わせの結果（同Ｓ４）、着信側の携帯電話機の電池が「残量に余裕が有る」状態なら、そのまま、当該携帯電話機への着信処理を行う（同Ｓ２、Ｓ７）。
【００３０】
これに対して、加入者データ管理手段６への問い合わせの結果が、着信側の携帯電話機の電池が「残り僅かな」状態なら、接続制御手段５は、着信側の携帯電話機への接続処理（同Ｓ７）へは進まずに、音声案内手段７に対して、次に述べる音声案内指示のための制御信号を発行する（同Ｓ６）。すなわち、接続制御手段５は、音声案内手段７に対して、「緊急連絡又は重要連絡以外の接続要求の取り止め」を促すことを意図する電池事情についての音声案内を発信側の電話機に流すよう指示する制御信号を送信すると共に（同Ｓ６）、音声案内手段７を発信側の電話機に接続する処理を行う。
接続制御手段５は、発信側の電話機へ向けての音声案内手段７の音声案内が完了した後、所定の時間Ｔ１（例えば、３−５秒）が経過するまでの間に、発信側の電話機から回線切断信号を受信しなければ（同Ｓ９）、着信側の携帯電話機への接続処理に進む構成となっている（同Ｓ７）。なお、この実施形態では、接続制御手段５が、着信側の携帯電話機への接続処理を進めている間にも、発信側の電話機からの連絡が、緊急連絡にも重要連絡にもあたらないときは、当該発信側の電話機から、回線切断信号を受信することが待望されている。
【００３１】
上記音声案内手段７Ａは、アプリケーションサーバ構成となっていて、接続制御手段５Ａから、発信側への音声案内送信を指示する制御信号を受けると（同Ｓ６）、発信側の電話機に対して、「着信側の携帯電話機の電池残量が僅かである」ことを音声で通知すると共に、緊急連絡又は重要連絡の場合の接続条件として、着信側の携帯電話機との接続要求継続を指定する方法を音声で通知する（同Ｓ８）。音声案内手段７Ａは、例えば、「お掛けになった電話番号の携帯電話機は、ただいま、電池の残量が僅かとなっております。緊急連絡又は重要連絡等でなければ、後日又は後刻、あらためてのご連絡をお願い致します。」との通知、続いて、例えば、「緊急連絡又は重要連絡なら、おつなぎしますので、そのままお待ち下さい。」との通知を音声信号で順次送信する。
【００３２】
上記構成の無線通信接続システム３Ａは、ＣＰＵ、ＲＯＭ、ＲＡＭ、外部記憶装置、インタフェース等からなる図示せぬコンピュータを制御する無線通信接続プログラムによるソフトウェア構成によっても実現できる。
上記無線通信接続プログラムは、コンピュータに、上記携帯通信端末から通知を受けた上記「電池の残量状況」を保存し更新し管理するデータ管理処理を実行させるデータ管理処理サブプログラムと、上記通信端末から、上記携帯通信端末への接続要求を受けたときは、上記携帯通信端末の上記「電池の残量状況」について、上記データ管理処理に問い合わせ、問い合わせの結果、「電池切れが近い状況にまで、上記携帯通信端末の電池の残量が低下している」ときは、上記通信端末と上記携帯通信端末とを接続する接続処理に進む前に、電池事情についての案内実行を指示する案内指示信号を出力する接続制御処理を実行させる接続制御処理サブプログラムと、該接続制御処理から上記案内指示信号を受けると、上記通信端末に対して、「緊急連絡又は重要連絡以外の接続要求の取り止め」を促すための電池事情についての前記案内を行う電池事情案内処理を実行させる電池事情案内処理とから構成される。
【００３３】
次に、図３のフローチャートを参照して、この発明の第２の実施形態の動作について説明する。
[電池残量通知]
携帯電話機２Ｂでは、図示せぬ残量検出手段が、電池の残量が設定された基準値まで低下したことを検出すると（図３の判定１）、残量検出信号を生成して図示せぬ電池残量通知手段に供給する。電池残量通知手段は、残量検出信号が入力されると、残量通知信号を生成し、生成した残量通知信号を、制御チャネルを用いて加入者データ管理手段６に送信する（図３のステップＳ１）。
加入者データ管理手段６は、携帯電話機２Ｂから、残量通知信号を受けると、「電池残量状況」の管理項目の中に、携帯電話機２Ｂの電池状態が、「残り僅かな（残量に余裕が無い）」状態であることを登録する。
【００３４】
[発信操作]
この後、携帯電話機２Ａが携帯電話機２Ｂに通信しようとして、図示せぬ無線基地局を介して、無線通信接続システム３Ａ内の接続制御手段５に携帯電話機２Ｂへの通信を開始することを要求する発呼信号を送る（同ステップＳ２）。この段階では、発信者は、携帯電話機２Ｂの電池残量が少なくなっていることを知る由もないはずである。なお、発信側の電話機は、固定電話機でも良い。
【００３５】
［電池残量照会］
接続制御手段５は、携帯電話機２Ａから携帯電話機２Ｂへの発呼信号を受けると、加入者データ管理手段６に対して、携帯電話機２Ｂの位置情報、電波受信状態、及び管轄交換局情報等、本来の加入者データを要求すると共に、携帯電話機２Ｂの電池状態が、「残り僅かな（残量に余裕が無い）」状態であるか、あるいは、「残量に余裕が有る」状態であるかを問い合わせる（同ステップＳ３）。
【００３６】
［接続判定（判定結果１）］
接続制御手段５は、加入者データ管理手段６から取得された「電池残量状況」に基づいて、次に進むべき動作処理を判断し決定する（図３の判定２）。加入者データ管理手段６への問い合わせの結果（同ステップＳ４）、携帯電話機２Ｂの電池残量に余裕があれば（同ステップＳ５）、そのまま、携帯電話機２Ｂへの接続処理を実施する（同ステップＳ７）。
［接続判定（判定結果２）］
しかし、この例では、携帯電話機２Ｂの電池が「残り僅かな」状態と判定され、接続制御手段５は、携帯電話機２Ｂへの着信処理（同Ｓ７）へは進まずに、音声案内手段７に対して、次に述べる音声案内指示のための制御信号を発行する（同Ｓ６）。すなわち、接続制御手段５は、音声案内手段７に対して、「緊急連絡又は重要連絡以外の接続要求の取り止め」を促すことを意図する電池事情についての音声案内を発信側の電話機に流すよう指示する制御信号を送信すると共に、音声案内手段７を電話機２Ａに接続する処理を行う（同ステップＳ６）。
【００３７】
［発信側への音声案内］
音声案内手段７は、接続制御手段５から、発信側への音声案内送信を指示する制御信号を受けると（同Ｓ６）、発信側の携帯電話機２Ａに対して、「着信側の携帯電話機２Ｂの電池残量が僅かである」ことを音声で通知すると共に、緊急連絡又は重要連絡の場合の接続条件として、着信側の携帯電話機２Ｂとの接続要求継続を指定する方法を音声で通知する（同Ｓ８）。例えば、「お掛けになった電話番号の携帯電話機２Ｂは、ただいま、電池の残量が僅かとなっております。緊急連絡又は重要連絡等でなければ、後日又は後刻、あらためてのご連絡をお願い致します。」との通知、続いて、例えば、「緊急連絡又は重要連絡なら、おつなぎしますので、そのままお待ち下さい。」との通知を音声信号で順次送信する（同ステップＳ８）。
【００３８】
［発信側の選択］
発信者は、音声案内手段７からの音声案内により、携帯電話機２Ｂの電池残量が僅かであることを承知する。そして、携帯電話機２Ｂへの接続を引き続き望むか、あるいは、断念するかの判断を迫られる（図３の判定３）。ここで、緊急連絡又は重要連絡のために、携帯電話機２Ｂを発呼しているときは、携帯電話機２Ｂの電池残量が僅かでも、（緊急連絡又は重要連絡を受け得る電池量は確保できていることを認識できるので、）終話ボタンを押さずに、そのまま、携帯電話機２Ｂとの接続を待つ。
これに対して、緊急又は重要な連絡ではないときは、着信側の電池残量事情を配慮して、携帯電話機２Ｂへの発呼を取り止める（同ステップＳ１１）。これにより、携帯電話機２Ｂの電池の節減を図ることができる。
【００３９】
［接続要求］
接続制御手段５は、音声案内手段７から発信側の携帯電話機２Ａへの音声案内が完了した後、所定の時間Ｔ１（例えば、３−５秒程度）経過後、着信側の携帯電話機への接続要求処理に進む（同ステップＳ７）。
【００４０】
［通話］
携帯電話機２Ｂが、通話ボタンを押すことで、発呼信号に応答すると、携帯電話機２Ａと携帯電話機２Ｂとが通話状態になる（同ステップＳ１０）。これにより、携帯電話機２Ａから携帯電話機２Ｂに対して、緊急の連絡事項又は重要な連絡事項が伝えられる。
【００４１】
［接続中止］
一方、接続制御手段５が、着信側の携帯電話機２Ｂへの接続要求処理を進めている間にも、発信者が、緊急連絡又は重要連絡のために発呼している訳ではないと判断して、接続を取り止めようと終話ボタンを押下すると、携帯電話機２Ａから接続制御手段５へ回線切断信号が送信される。接続制御手段５は、発信側の電話機２Ａから回線切断信号を受信したときは（同ステップＳ１１）、携帯電話機２Ｂへの接続要求処理を終了する。
【００４２】
［電池回復］
携帯電話機２Ｂの電池が充電により回復したときは、携帯電話機２Ｂの図示せぬ電池残量通知手段から、電池が回復したことを知らせる電池回復信号が加入者データ管理手段６に送信される。加入者データ管理手段６は、携帯電話機２Ｂから電池回復信号を受信すると、携帯電話機２Ｂに関する「電池残量状況」の管理項目の内容を、「残り僅かな状態である」から「残量に余裕が有る」に書き替える。
【００４３】
このように、この第２の実施形態の携帯電話機によれば、電池残量が乏しくなったときでも、緊急連絡又は重要連絡受信用の電力として、必要最小限の電池量を残して置くことを期待できる。また、緊急連絡又は重要連絡等が着信した際にも、発信者は、予め着信者の携帯電話機の電池残量が少ないという通知を受けているので、被呼者に対して、てきぱきと連絡を伝える努力をするであろうから、この点からも、電池の無用の消耗を阻止できる。このようにして節約される電力は、もちろん、携帯電話機の所有者自身が、他者に対して緊急連絡又は重要連絡をしなければならない事態が発生した場合にも、大変助かる電力となる。
なお、この第２の実施形態において、「緊急連絡又は重要連絡の際には、ボタン操作等を要せずに、そのまま待てば、通話状態に移行する」構成としたのは、緊急連絡者又は重要連絡者に対して、ボタン操作等の余分な負担を掛けさせない、との配慮に基づくものである。
【実施形態３】
【００４４】
図４は、この発明の第３の実施形態による携帯電話機用の無線通信システムの概略構成を示す模式図、また、図５は、同無線通信システムの動作処理の流れを示すフローチャートである。
この実施形態の無線通信システム１Ｂは、図４に示すように、固定電話機や携帯電話機２Ａ等の発信側の電話機（通信端末）と着信側の携帯電話機（携帯通信端末）２Ｂと、これらの電話機２Ａ、２Ｂ間を無線通信で接続する無線通信接続システム３Ｂとからなっている。
無線通信接続システム３Ｂは、既存の図示せぬ無線基地局及び交換機（交換局）に加えて、同図に示すように、携帯電話機２Ａ、２Ｂ同士又は携帯電話機２Ａ、２Ｂと図示せぬ固定電話機とを接続させる接続制御手段５Ａと、加入者データを登録管理する加入者データ管理手段６と、着信側の携帯電話の電池事情を発信側の電話機に音声で案内する音声案内手段７Ａとから概略構成されている。
【００４５】
この実施形態の無線通信接続システム３Ｂが、上述した第２の実施形態のそれと大きく異なるところは、以下の点である。すなわち、第２の実施形態では、発信側の電話機が、音声案内手段７から電池事情についての音声案内を受けた後、そのまま待つと、接続制御手段５は、着信側の携帯電話機への接続要求の処理に進む構成とした（図２、図３のＳ８、Ｓ７）。これに代えて、この実施形態では、図４及び図５に示すように、音声案内手段７Ａから音声案内がなされた後、発信側の電話機が、何の操作もしなければ、着信側の携帯電話機への接続処理は終了する一方、「緊急連絡又は重要連絡」のための発呼のときは、操作パネル上の所定の入力ボタンを押下すると（停止条件）、着信側の携帯電話機への接続処理に進む構成とした。
【００４６】
この実施形態において、接続制御手段５Ａは、図４に示すように、発信側の電話機から発呼の信号を受けたときは（図４のＳ２）、加入者データ管理手段６に、位置情報等、発信側の電話機が着信側の携帯電話機と接続するために必要な加入者データの提供を要求すると共に、着信側の携帯電話機の「電池残量状況」を問い合わせる（同Ｓ３）。次に、接続制御手段５Ａは、問い合わせの結果（同Ｓ４）、着信側の携帯電話機の電池が「残量に余裕が有る」状態なら、そのまま、当該携帯電話機への着信処理を行う（同Ｓ２、Ｓ７）。
【００４７】
これに対して、加入者データ管理手段６への問い合わせの結果が（同Ｓ４）、着信側の携帯電話機の電池が「残り僅かな」状態であるなら、接続制御手段５Ａは、着信側の携帯電話機への接続処理（同Ｓ７）へは進まずに、音声案内手段７Ａに対して、次に述べる音声案内指示のための制御信号を発行する（同Ｓ６）。すなわち、接続制御手段５Ａは、音声案内手段７Ａに対して、「緊急連絡又は重要連絡以外の接続要求の取り止め」を促すことを意図する電池事情についての音声案内を発信側の電話機に流すよう指示する制御信号を送信すると共に（同Ｓ６）、音声案内手段７Ａを発信側の電話機に接続する処理を行う。
接続制御手段５Ａは、発信側の電話機に向けての音声案内手段７Ａの音声案内が完了した後、所定の時間Ｔ２（例えば、１０秒）が経過するまでの間、発信側の電話機からの信号の到来を待ち、所定の時間Ｔ２が経過する前に、発信側の電話機から接続要求信号を受けると（同Ｐ９）、着信側の携帯電話機への接続処理に進む構成となっている。これに対して、発信側の電話機から回線切断信号を受けると（同Ｓ１１）、接続処理を取り止める。一方、所定の時間Ｔ２までに、接続要求信号の到来が無ければ、接続制御手段５Ａは、接続処理を取り止める。
【００４８】
上記音声案内手段７Ａは、アプリケーションサーバ構成となっていて、接続制御手段５Ａから、発信側への音声案内送信を指示する制御信号を受けると（同Ｓ６）、発信側の電話機に対して、「着信側の携帯電話機の電池残量が僅かである」ことを音声で通知すると共に、緊急連絡又は重要連絡の場合の接続条件（停止条件）として、着信側の携帯電話機との接続要求継続を指定する方法を音声で案内する（同Ｐ８）。例えば、発信側の電話機に対して、「お掛けになった電話番号の携帯電話機は、ただいま、電池の残量が僅かとなっております。緊急連絡又は重要連絡等でなければ、後日又は後刻、あらためてのご連絡をお願い致します。」と、続いて、例えば、「緊急連絡又は重要連絡なら、おつなぎしますので、ボタン＃１を押してください。」と、続いて、例えば、「１０秒以内にボタン＃１が押されないときは、接続処理を中止致します。」との通知を音声信号で順次送信する。ここで、発信側の電話機の図示せぬボタン＃１は、「接続要求」ボタンとして機能するようになっている。なお、図４において、図２の構成各部と同一の部分については、同一の符号を付して、その説明を省略又は簡略化する。
【００４９】
次に、図４及び図５を参照して、第３の実施形態の動作について説明する。
なお、この第３の実施形態において、電池残量通知（図５のステップＳ１）、発信操作（同ステップＳ２）、及び電池残量照会（同ステップＳ３、Ｓ４）までの処理の流れは、上述の第２の実施形態（図３）で述べたと同様であるので、その説明を省略又は簡略化し、次の処理（接続判定）から説明する。
【００５０】
［接続判定（判定結果１）］
接続制御手段５Ａは、携帯電話機２Ａから発呼の信号を受けると（ステップＳ２）、加入者データ管理手段６から取得された「電池残量状況」に基づいて（ステップＳ３、Ｓ４）、次に進むべき動作処理を判断し決定する（図５の判定２）。加入者データ管理手段６への問い合わせの結果（同ステップＳ４）、携帯電話機２Ｂの電池残量に余裕があれば（同ステップＳ５）、そのまま携帯電話機２Ｂに対する接続要求の処理を実施する（同ステップＳ７）。
［接続判定（判定結果２）］
しかし、この例では、携帯電話機２Ｂの電池が「残り僅かな」状態であると判定されるので、接続制御手段５Ａは、携帯電話機２Ｂへの着信処理にそのまま進むことはせずに、ひとまず、音声案内手段７Ａに対して、「着信側の携帯電話機の乏しい電池残量に配慮して、緊急連絡又は重要連絡以外の電話発呼に対しては、後日又は後刻に掛け直すことを勧める」音声案内を発信側の電話機に流すよう指示する制御信号を送信すると共に、音声案内手段７Ａを携帯電話機２Ａに接続する処理を行う（同ステップＳ６）。
【００５１】
［発信側への音声案内］
上記音声案内手段７Ａは、接続制御手段５Ａから、発信側への音声案内送信を指示する制御信号を受けると（同Ｓ６）、発信側の携帯電話機２Ａに対して、着信側の携帯電話機２Ｂの電池残量が僅かであることを音声で通知すると共に、緊急連絡又は重要連絡の場合の接続条件（停止条件）として、着信側の携帯電話機２Ｂとの接続要求の継続を指定する方法を音声で案内する（同Ｐ８）。
例えば、発信側の携帯電話機２Ａに対して、「お掛けになった電話番号の携帯電話機２Ｂは、ただいま、電池の残量が僅かとなっております。緊急連絡又は重要連絡等でなければ、後日又は後刻、あらためてのご連絡をお願い致します。」と、続いて、例えば、「緊急連絡又は重要連絡なら、おつなぎしますので、ボタン＃１を押してください。」と、続いて、例えば、「１０秒以内にボタン＃１が押されないときは、接続処理を中止致します。」との通知を音声信号で順次送信する。
【００５２】
［発信側の選択］
発信者は、音声案内手段７Ａからの通知により、携帯電話機２Ｂの電池残量が僅かであることを承知する。そして、携帯電話機２Ｂへの接続を引き続き望むか、あるいは、断念するかの判断を迫られる（図５の判定３）。ここで、緊急事項又は重要事項を伝えたいために、携帯電話機２Ｂを発呼しているときは、携帯電話機２Ｂの電池残量が僅かでも、（緊急連絡又は重要連絡を受け得る電池量は残存していることを認識できるので、）音声案内手段７Ａからの音声案内に従って、ボタン＃１を押下して、携帯電話機２Ｂとの接続を要求する（同Ｐ９）。
これに対して、緊急又は重要な連絡のために電話した訳ではないときは、発信者が、着信側の電池残量事情を配慮して、携帯電話機２Ｂへの発呼を取り止める（同ステップＳ１１）。これにより、携帯電話機２Ｂの電池の節減を図ることができる。発信者が、ボタン＃１を押さず、終話ボタンを押すか、そのまま１０秒間何も操作しなければ、回線は切断される（同ステップＳ１１）。
【００５３】
［接続要求］
接続制御手段５Ａは、音声案内手段７Ａから発信側の携帯電話機２Ａへの音声案内が完了した後、所定の時間Ｔ２（この例では、１０秒の時間）が経過するまで、発信側の携帯電話機２Ａからの信号を待つ。この所定の時間Ｔ２内に、発信側の携帯電話機２Ａが、ボタン＃１を押下すると（同Ｐ９）、発信側の携帯電話機２Ａから接続制御手段５Ａへ接続要求信号が送信される。接続制御手段５Ａは接続要求信号を受信すると、携帯電話機２Ｂへの接続処理を行う（同Ｓ７）。
【００５４】
［通話］
携帯電話機２Ｂが、通話ボタンを押すことで、発呼信号に応答すると、携帯電話機２Ａと携帯電話機２Ｂとが通話状態になる（同ステップＳ１０）。これにより、携帯電話機２Ａと携帯電話機２Ｂとの間で緊急の連絡事項又は重要な連絡事項の授受が行われる。
【００５５】
［接続中止］
一方、接続制御手段５Ａは、期間Ｔ２（１０秒）を経過するまでの間に、携帯電話機２Ａから接続要求信号を受け取らなかったとき、あるいは、期間Ｔ２（１０秒）を経過する前に、携帯電話機２Ａから回線切断信号を受け取ったときは、携帯電話機２Ｂへの接続処理を終了する（同ステップＳ１１）。
【００５６】
このように、この第３の実施形態によっても、上述の第２の実施形態において述べたと同様の効果を得ることができる。この第３の実施形態において、「緊急連絡又は重要連絡の際には、ボタン操作等を行えば、通話状態に移行する」構成としたのは、緊急連絡者又は重要連絡者なら、追加のボタン操作を惜しまないであろう、との判断に基づくものである。これにより、緊急連絡又は重要連絡以外の連絡が、誤って、あるいは、不注意に通話状態に移行することを一段と防止できる。
【実施形態４】
【００５７】
図６は、この発明の第４の実施形態による携帯電話機用の無線通信システムの概略構成を示す模式図、また、図７は、同無線通信システムの動作処理の流れを示すフローチャートである。
この実施形態の無線通信システム１Ｃは、図６に示すように、固定電話機や携帯電話機２Ａ等の発信側の電話機（通信端末）と着信側の携帯電話機（携帯通信端末）２Ｂと、これらの電話機２Ａ、２Ｂ間を無線通信で接続する無線通信接続システム３Ｃとからなっている。
無線通信接続システム３Ｃは、既存の図示せぬ無線基地局及び交換機（交換局）に加えて、同図に示すように、携帯電話機２Ａ、２Ｂ同士又は携帯電話機２Ａ、２Ｂと図示せぬ固定電話機とを接続させる接続制御手段５Ｂと、加入者データを登録管理する加入者データ管理手段６と、着信側の携帯電話の電池事情を発信側の電話機に音声案内する音声案内手段７Ｂとから概略構成されている。
【００５８】
この実施形態の無線通信接続システム３Ｃは、音声案内手段７Ｂから着信側の携帯電話の電池残量不足ゆえの協力呼びかけに関する音声案内がなされた後、発信側の電話機が、協力呼びかけに応じて何の操作もしなければ、着信側の携帯電話機への接続処理は終了する一方、「緊急連絡又は重要連絡」のための発呼であるときは、発信者の選択により、発信側電話機の第１の入力ボタン＃１が押下されると、着信側の携帯電話機への接続処理が実行されるように構成されている点で、上述した第３の実施形態の無線通信接続システム３Ｂと同一であるが、この第４の実施形態では、さらに、第２の入力ボタン＃２が押下されると、発信者の音声メッセージが、音声案内手段７Ｂに録音され、接続制御手段５Ｂを介して、着信側の携帯電話機に転送される選択肢が付加されている点で、第３の実施形態と相違している。
【００５９】
この実施形態において、接続制御手段５Ｂは、図６に示すように、発信側の電話機から発呼の信号を受けたときは（図４のＳ２）、加入者データ管理手段６に、位置情報等、発信側の電話機が着信側の携帯電話機と接続するために必要な加入者データの提供を要求すると共に、着信側の携帯電話機の「電池残量状況」を問い合わせる（同Ｓ３）。次に、接続制御手段５Ｂは、問い合わせの結果（同Ｓ４）、着信側の携帯電話機の電池が「残量に余裕が有る」状態なら、そのまま、当該携帯電話機に対する接続処理を行う（同Ｓ２、Ｓ７）。
【００６０】
これに対して、加入者データ管理手段６への問い合わせの結果が（同Ｓ４）、着信側の携帯電話機の電池が「残り僅かな」状態であるなら、接続制御手段５Ｂは、着信側の携帯電話機への接続処理（同Ｓ７）へは進まずに、音声案内手段７Ｂに対して、次に述べる音声案内指示のための制御信号を発行する（同Ｓ６）。すなわち、接続制御手段５Ｂは、音声案内手段７Ｂに対して、「緊急連絡又は重要連絡以外の接続要求の取り止め」を促すことを意図する電池事情についての音声案内を発信側の電話機に流すよう指示する制御信号を送信すると共に（同Ｓ６）、音声案内手段７Ｂを発信側の電話機に接続する処理を行う。
接続制御手段５Ｂは、発信側の電話機に向けての音声案内手段７Ａの音声案内が完了した後、所定の時間Ｔ３（例えば、１０秒の時間）が経過するまで、発信側の電話機からの信号の到来を待ち、所定の時間Ｔ３が経過するまでの間に到来する信号の種類に応じて、次の処理を行う構成となっている。
【００６１】
すなわち、接続制御手段５Ｂは、所定の時間Ｔ３経過前に、発信側の電話機から、第１の入力ボタン＃１の押下による接続要求信号を受けると（同Ｐ９）、着信側の携帯電話機への接続処理に進む（同Ｓ７）。また、接続制御手段５Ｂは、所定の時間Ｔ３経過前に、第２の入力ボタン＃２の押下による音声メッセージ転送要求信号を受けると、続いて送信されてくる発信者の音声メッセージを音声案内手段７Ｂに録音させる（同Ｑ９）。この後、接続制御手段５Ｂは、音声案内手段７Ｂを着信側の携帯電話機に接続して（同Ｓ７）、録音された音声メッセージを着信側の携帯電話機へ転送する処理に進む（同Ｑ１０）。接続制御手段５Ｂは、所定の時間Ｔ３経過前に、回線切断信号を受けると、接続処理を取り止める。所定の時間Ｔ３までに、接続要求信号の到来が無ければ、接続制御手段５Ｂは、接続処理を取り止める。
【００６２】
上記音声案内手段７Ｂは、アプリケーションサーバ構成となっていて、接続制御手段５Ｂから、発信側への音声案内送信を指示する制御信号を受けると、発信側の電話機に対して、例えば、「お掛けになった電話番号の携帯電話機は、ただいま、電池の残量が僅かとなっております。緊急連絡又は重要連絡等でなければ、後日又は後刻、あらためてのご連絡をお願い致します。」と、続いて、例えば、「緊急連絡又は重要連絡なら、おつなぎしますので、ボタン＃１を押してください。」と、続いて、例えば、「音声メッセージの転送をご希望なら、ボタン＃２を押してから、メッセージをお話し下さい。」、続いて、例えば、「１０秒以内にどのボタンも押されないときは、接続処理を中止致します。」との通知を音声信号で順次送信する。ここで、発信側の電話機の図示せぬ第１のボタン＃１は、「接続要求」ボタンとして機能し、図示せぬ第２のボタン＃２は、「音声メッセージ転送要求」ボタンとして機能するようになっている。
【００６３】
次に、図７を参照して、この発明の第４の実施形態の動作について説明する。
なお、第４の実施形態において、電池残量通知（ステップＳ１）、発信操作（ステップＳ２）、及び電池残量照会（ステップＳ３、Ｓ４）までの処理の流れは、上述の第２の実施形態（図３）で述べたと同様であるので、その説明を省略又は簡略化する。
［接続判定（判定結果１）］
接続制御手段５Ｂは、電携帯話機２Ａから発呼信号を受けると（図７のステップＳ２）、加入者データ管理手段６に、着信側の携帯電話機２Ａの電池残量等について問い合わせを行い（同ステップＳ３）、問い合わせの結果（同ステップＳ３）、携帯電話機２Ｂの電池残量に余裕があれば（同ステップＳ５）、そのまま携帯電話機２Ｂに対する接続要求の処理を実施する（同ステップＳ７）。
［接続判定（判定結果２）］
しかし、この例では、携帯電話機２Ｂの電池が「残り僅かな」状態と判定（図７の判定２）されるので、接続制御手段５Ｂは、携帯電話機２Ｂへの着信処理（同ステップＳ７）へは進まずに、音声案内手段７Ｂに対して、次に述べる音声案内指示のための制御信号を発行する（同ステップＳ６）。すなわち、接続制御手段５Ｂは、音声案内手段７Ｂに対して、「緊急連絡又は重要連絡以外の接続要求の取り止め」を促すことを意図する電池事情についての音声案内を発信側の電話機に流すよう指示する制御信号を送信すると共に（同ステップＳ６）、音声案内手段７Ｂを発信側の電話機に接続する処理を行う。
【００６４】
［発信側への音声案内］
上記音声案内手段７Ｂは、接続制御手段５Ｂから、発信側への音声案内送信を指示する制御信号を受けると（同Ｓ６）、発信側の電携帯話機２Ａに対して、「着信側の携帯電話機２Ｂの電池残量が僅かである」ことを音声で通知すると共に、緊急連絡又は重要連絡の場合の接続条件（停止条件）として、着信側の携帯電話機２Ｂとの接続要求等の継続を指定する方法を音声で通知する（同Ｑ８）。
例えば、発信側の携帯電話機２Ａに対して、「お掛けになった電話番号の携帯電話機２Ｂは、ただいま、電池の残量が僅かとなっております。緊急連絡又は重要連絡等でなければ、後日又は後刻、あらためてのご連絡をお願い致します。」と、続いて、例えば、「緊急連絡又は重要連絡なら、おつなぎしますので、ボタン＃１を押してください。」と、続いて、例えば、「音声メッセージの転送をご希望なら、ボタン＃２を押してから、メッセージをお話し下さい。」、続いて、例えば、「１０秒以内にどのボタンも押されないときは、接続処理を中止致します。」との通知を音声信号で順次送信する。
【００６５】
［発信側の選択］
発信者は、音声案内手段７Ｂからの音声案内により、携帯電話機２Ｂの電池残量が僅かであることを承知する。そして、携帯電話機２Ｂへの接続を引き続き望むか、あるいは、断念するかの判断を迫られる（図７の判定３）。ここで、緊急事項又は重要事項を直接本人に伝えたいために、携帯電話機２Ｂを発呼しているときは、携帯電話機２Ｂの電池残量が僅かでも、（緊急連絡又は重要連絡を受ける得る電池量は残存していることを認識できるので、）音声案内手段７Ｂからの音声案内に従って、ボタン＃１を押下して、携帯電話機２Ｂとの接続を要求する（同Ｐ９）。
【００６６】
これに対して、緊急連絡又は重要連絡のために電話したのであるが、本人からの回答不要の伝達事項であるときは、音声メッセージの転送だけで用が済むので、発信者は、音声案内手段７Ｂからの音声案内に従って、ボタン＃２を押下し、続いて、伝えたいメッセージを送話部に向けて話す（同Ｑ９）。
これに対して、緊急又は重要のために電話した訳ではないときは、発信者が、着信側の電池残量事情を配慮して、携帯電話機２Ｂへの発呼を取り止める（同ステップＳ１１）。これにより、携帯電話機２Ｂの電池の節減を図ることができる。発信者が、ボタン＃１、＃２のいずれも押さずに、終話ボタンを押すか、そのまま１０秒間何も操作しなければ、回線は切断される（同ステップＳ１１）。
【００６７】
［接続要求］
接続制御手段５Ｂは、音声案内手段７Ｂから発信側の携帯電話機２Ａへの音声案内が完了した後、所定の時間Ｔ３、この例では、１０秒の時間が経過するまで、発信側の携帯電話機２Ａからの信号を待つ。この時間Ｔ３（１０秒）内に、発信側の携帯電話機２Ａが、ボタン＃１を押下すると（同Ｐ９）、発信側の携帯電話機２Ａから接続制御手段５Ｂへ接続要求信号が送信される。接続制御手段５Ｂは接続要求信号を受信すると、携帯電話機２Ｂへの接続処理を行う（同Ｓ７）。
【００６８】
［通話］
携帯電話機２Ｂが、通話ボタンを押すことで、発呼信号に応答すると、携帯電話機２Ａと携帯電話機２Ｂとが通話状態になる（同ステップＳ１０）。これにより、携帯電話機２Ａと携帯電話機２Ｂとの間で、直接、緊急連絡事項又は重要連絡事項の授受が行われる。
【００６９】
［音声メッセージ転送要求］
接続制御手段５Ｂは、計時を開始して、所定の時間Ｔ３（１０秒）内に、発信側の携帯電話機２Ａが、ボタン＃２を押下すると、発信側の携帯電話機２Ａから接続制御手段５Ｂへ音声メッセージ転送要求信号が送信される。接続制御手段５Ｂは音声メッセージ転送要求信号を受信すると、発信側の携帯電話機２Ａから続いて送信されてくる発信者の音声メッセージを音声案内手段７Ｂに録音させた後（同Ｑ９）、音声案内手段７Ｂを着信側の携帯電話機２Ｂに接続要求する（同Ｓ７）。携帯電話機２Ｂが、通話ボタンを押すことで、発呼信号に応答すると、音声案内手段７Ｂと携帯電話機２Ｂとが接続状態となり、発信者の音声メッセージが着信側の携帯電話機２Ｂへ転送される（同Ｑ１０）。
【００７０】
［接続中止］
一方、接続制御手段５Ｂは、所定の時間Ｔ３（１０秒）経過前に、携帯電話機２Ａから接続要求信号を受け取らなかったとき、あるいは、所定の時間Ｔ３（１０秒）経過前に、携帯電話機２Ａから回線切断信号を受け取ったときは、携帯電話機２Ｂへの接続処理を終了する（同ステップＳ１１）。
【００７１】
このように、この第４の実施形態によっても、上述の第３の実施形態において述べたと同様の効果を得ることができる。加えて、この第４の実施形態によれば、上記したように、「緊急連絡又は重要連絡を希望する場合の選択肢として、直接通話要求と音声メッセージ転送要求の２種類の選択肢が設けられているため、発信者は、緊急連絡又は重要連絡の種類程度に応じて、いずれかの伝達方法を選択でき、簡単に済む緊急連絡又は重要連絡のときは、音声メッセージ転送を利用することできるので、携帯電話機の電池の節減に協力できる。
【実施形態５】
【００７２】
図８は、この発明の第５の実施形態による携帯電話機用の無線通信システムの概略構成を示す模式図、また、図９は、同無線通信システムの動作処理の流れを示すフローチャートである。
この実施形態の無線通信システム１Ｄは、図８に示すように、固定電話機や携帯電話機２Ｘ、２Ｙ等の発信側の電話機（通信端末）と着信側の携帯電話機（携帯通信端末）２Ｚと、これらの電話機２Ｘ、２Ｙ、２Ｂ間を無線通信で接続する無線通信接続システム３Ｄとからなっている。
この無線通信接続システム３Ｄは、携帯電話機２Ｘ、２Ｙ、２Ｚ同士又は携帯電話機と図示せぬ固定電話機との間の通信を可能にするために、図８に示すように、発信側の電話機と着信側の電話機との間を無線等で接続して回線を成立させる接続制御手段５Ｃと、加入者データを登録管理する加入者データ管理手段６Ｃと、着信側の携帯電話の電池事情を発信側の電話機に音声案内する音声案内手段７Ｃとから概略構成されている。
【００７３】
上記無線通信接続システム３Ｄが、上述した第３の実施形態と大きく異なるところは、上述の第３の実施形態では、音声案内手段７Ａから音声案内がなされた後は、発信側に、緊急用件又は重要用件ゆえに接続要求を継続するに値するか、値しないので取り止めるかの判断を委ねるようにしたが、この実施形態では、図８及び図９に示すように、第３の実施形態の構成（図４、図５）に加えて、携帯電話機のユーザが予め作成した着信許可リスト及び着信拒否リストを無線通信接続システム３Ｄ内の加入者データ管理手段６Ｃに登録させて管理させるようにした点である。
ここで、着信許可リストとは、着信側の携帯電話機の電池残量の如何を問わず、緊急連絡者又は重要連絡者とみなして、その着信を無条件で受け付けると決めた相手Ｘの電話番号等の情報を記入した一覧をいい、また、着信拒否リストとは、着信者の携帯電話機の電池状態が、「残り僅かな（残量に余裕が無い）」状態のときは、緊急連絡者でも重要連絡者でもない者とみなして、その着信を無条件で拒否すると決めた相手Ｙの電話番号等の情報を記入した一覧をいう。
【００７４】
次に、この実施形態の構成各部について説明する。
この無線通信システム１Ｄに適応可能な複数機種の携帯電話機のうち、少なくとも、携帯電話機２Ｚの機種のものは、無線通信接続システム３Ｄを構成する加入者データ管理手段６Ｃに「電池が残り僅かである」ことを通知する電池残量通知機能（第３の実施形態の説明で述べたと同等の機能）の他（図８のＳ１）、ユーザが、例えば、友人知人等の人物を着信許可者と着信拒否者とに選り分けて、予め着信許可リストと拒否リストとを作成し、作成した着信許可／拒否リストを、例えば、ショートメッセージ通知機構等を利用して、加入者データ管理手段６Ｃに送信する許可／拒否リスト作成送信機能（同図Ｒ１／Ｒ２）を備えている。
【００７５】
また、上記加入者データ管理手段６Ｃは、加入者の電話機の位置情報、電波受信状態、及び管轄交換局情報等の本来の加入者データ、及び加入者の「電池残量状況」（同図Ｓ１）を登録管理する機能（第３の実施形態と同様の機能）に加え、携帯電話機２Ｚから送られてきた着信許可／拒否リスト（同図Ｒ１／Ｒ２）を登録し管理する機能を備えている。
【００７６】
接続制御手段５Ｃは、図８に示すように、発信側の電話機から発呼の信号を受けたときは（図８のＳ２）、加入者データ管理手段６Ｃに、位置情報等、発信側の電話機が着信側の携帯電話機と接続するために必要な（着信側）加入者データ、及び着信側の携帯電話機の「電池残量状況」について問い合わせ、もしあれば、着信許可／拒否リストの提供も要求し（同図Ｓ３）、加入者データ管理手段６Ｃへの問い合わせの結果（同Ｓ４）、着信側の携帯電話機の電池が「残量に余裕が有る」状態なら、そのまま、着信側の携帯電話機への接続要求処理を行う一方（同Ｓ２、Ｓ７）、着信側の携帯電話機の電池が「残り僅かな」状態であるときは、加入者データ管理手段６Ｃから取得した着信許可／拒否リストをも参照して、次の各処理を行う構成となっている。
【００７７】
すなわち、接続制御手段５Ｃは、着信側の携帯電話機の電池が「残り僅かな」状態であっても、発信側の携帯電話機が、着信許可リストに記載されているときは、無条件で、そのまま、着信側の携帯電話機への接続要求処理を行う（同Ｓ２、Ｓ７）。
【００７８】
一方、着信側の携帯電話機の電池が「残り僅かな」状態で、かつ、発信側の携帯電話機が、着信拒否リストに記載されているときは、接続制御手段５Ｃは、音声案内手段７Ｃに対して、「着信側の携帯電話機の乏しい電池残量に配慮して、後日又は後刻に掛け直すことを勧める」接続拒否通知（音声案内）を発信側の電話機に流すよう指示する第１の制御信号を送信する（同Ｒ６）。この後、音声案内手段７Ｃが、発信側の電話機への接続拒否通知（音声案内）を完了したら（同Ｒ８）、着信側の携帯電話機への接続処理を取り止める（同Ｒ１１）構成となっている。
【００７９】
これに対して、着信側の携帯電話機の電池が「残り僅かな」状態で、かつ、当該携帯電話機が、着信許可リストにも着信拒否リストにも記載されていないときは、接続制御手段５Ｃは、着信側の携帯電話機への接続処理（同Ｓ７）へは進まずに、音声案内手段７Ｃに対して、次に述べる音声案内指示のための第２の制御信号を発行する（同Ｒ６）。すなわち、接続制御手段５Ｃは、音声案内手段７Ｃに対して、「緊急連絡又は重要連絡以外の接続要求の取り止め」を促すことを意図する電池事情についての音声案内を発信側の電話機に流すよう指示する第２の制御信号を送信すると共に（同Ｒ６）、音声案内手段７Ｃを発信側の電話機に接続する処理を行う。
接続制御手段５Ｃは、音声案内手段７Ｃから発信側の電話機への音声案内が完了した後、所定の時間Ｔ２（例えば、１０秒）が経過するまでの間、発信側の電話機からの信号の到来を待ち、所定の時間Ｔ２が経過する前に、発信側の電話機から接続要求信号を受けると（同Ｐ９）、着信側の携帯電話機への接続処理に進む（同Ｓ７）構成となっている。これに対して、発信側の電話機から回線切断信号を受けると（同Ｓ１１）、接続処理を取り止める。一方、所定の時間Ｔ２までに、接続要求信号の到来が無ければ、接続制御手段５Ｃは、接続処理を取り止める。
【００８０】
上記音声案内手段７Ｃは、接続制御手段５Ｃから、第１の制御信号を受けると（同Ｒ６）、発信側の電話機に対して、「お掛けになった電話番号の携帯電話機は、ただいま、電池の残量が僅かとなっていますので、後日又は後刻、あらためてのご連絡をお願い致します。」ことを音声で通知するように構成されている（同Ｒ８）。
【００８１】
一方、音声案内手段７Ｃは、接続制御手段５Ｃから、第２の制御信号を受けると（同Ｒ６）、発信側の電話機に対して、「着信側の携帯電話機の電池残量が僅かである」ことを音声で通知すると共に、緊急連絡又は重要連絡の場合の接続条件（停止条件）として、着信側の携帯電話機との接続要求継続を指定する方法を音声で案内するように構成されている（同Ｒ８）。例えば、発信側の電話機に対して、「お掛けになった電話番号の携帯電話機は、ただいま、電池の残量が僅かとなっております。緊急連絡又は重要連絡等でなければ、後日又は後刻、あらためてのご連絡をお願い致します。」と、続いて、例えば、「緊急連絡又は重要連絡なら、おつなぎしますので、ボタン＃１を押してください。」と、続いて、例えば、「１０秒以内にボタン＃１が押されないときは、接続処理を中止致します。」との通知を音声信号で順次送信する。
【００８２】
次に、図８及び８を参照して、第５の実施形態の動作について説明する。
[着信許可／拒否リストの作成]
携帯電話機２Ｚのユーザは、例えば、友人知人等の人物を着信許可者と着信拒否者とに選り分けて（図９の判定１Ａ）、予め着信許可／拒否リストを作成し、作成した着信許可／拒否リストを、例えば、ショートメッセージ通知機構等を利用して、加入者データ管理手段６Ｃに送信する（図９のステップＲ１／Ｒ２。このとき、ユーザＸの携帯電話機２Ｘは、着信許可リストに記載されたのに対して、ユーザＹの携帯電話機２Ｙは、着信拒否リストに記載されたとする（図８）。
加入者データ管理手段６Ｃは、携帯電話機２Ｚから、着信許可リスト／着信拒否リストを受け取ると、受け取った着信許可／拒否リストを登録管理する。
[電池残量通知]
携帯電話機２Ｚでは、図示せぬ残量検出手段が、電池の残量が設定された基準値まで低下したことを検出すると（同図の判定１）、残量検出信号を生成して図示せぬ電池残量通知手段に供給する。電池残量通知手段は、残量検出信号が入力されると、残量通知信号を生成し、生成した残量通知信号を、制御チャネルを用いて加入者データ管理手段６Ｃに送信する（同ステップＳ１）。
加入者データ管理手段６Ｃは、携帯電話機２Ｚから、残量通知信号を受けると、「電池残量状況」の管理項目の中に、携帯電話機２Ｚの電池状態が、「残り僅かな（残量に余裕が無い）」状態であることを登録する。
【００８３】
[発信操作]
この後、携帯電話機２Ｘ又は携帯電話機２Ｙが携帯電話機２Ｚに通信しようとして、図示せぬ無線基地局を介して、無線通信接続システム３Ｄ内の接続制御手段５Ｃに携帯電話機２Ｚへの通信を開始することを要求する発呼信号を送る（同ステップＳ２）。この段階では、発信者は、携帯電話機２Ｚの電池残量が僅かであることを知る由もないはずである。なお、発信側の電話機は、固定電話機でも良い。
【００８４】
［電池残量、着信許可／拒否リスト照会］
接続制御手段５Ｃは、携帯電話機２Ｘ又は携帯電話機２Ｙから携帯電話機２Ｚへの発呼信号を受けると、加入者データ管理手段６Ｃに対して、携帯電話機２Ｚの位置情報、電波受信状態、及び管轄交換局情報等、本来の加入者データを要求すると共に、携帯電話機２Ｚの「電池残量状況」について問い合わせ、もしあれば、着信許可／拒否リストの提供も要求する（同図ステップＳ３）。この事例では、携帯電話機２Ｚのユーザによって作成された着信許可リスト／着信拒否リストが登録されているので、加入者データ管理手段６Ｃは、携帯電話機２Ｚの「電池残量状況」及び着信許可／拒否リストを接続制御手段５Ｃに提供する（同図ステップＳ４）。
【００８５】
［接続判定（判定結果１）］
接続制御手段５Ｃは、加入者データ管理手段６Ｃから取得した携帯電話機２Ｚの「電池残量状況」を参照して、携帯電話機２Ｚの電池が「残量に余裕が有る」状態なら（図９の判定２）、そのまま、携帯電話機２Ｚへの接続要求処理を行う（同ステップＳ５、Ｓ７）。この例では、携帯電話機２Ｚの電池が「残り僅かな」状態であるので、さらに、加入者データ管理手段６Ｃから取得した着信許可リスト／着信拒否リストをも参照し（同図の判定２）、参照の結果に応じて、次の各処理を行う。
【００８６】
［接続判定（判定結果２）］
発呼が、携帯電話機２Ｘ（図７）からの発呼であるときは、携帯電話機２Ｚの電池が「残り僅かな」状態であって、かつ、発信側の携帯電話機２Ｘは、着信許可リストに記載されているので、接続制御手段５Ｃは、そのまま、無条件で、携帯電話機２Ｚへの着信処理を行う（同ステップＲ５、Ｓ７）。
【００８７】
［接続判定（判定結果３）］
これに対して、発呼が、携帯電話機２Ｙ（図７）からの発呼であるときは、携帯電話機２Ｚの電池が「残り僅かな」状態であって、かつ、発信側の携帯電話機２Ｚが、着信拒否リストに記載されているので、接続制御手段５Ｃは、音声案内手段７Ｃに対して、「着信側の携帯電話機の乏しい電池残量に配慮して、後日又は後刻に掛け直すことを勧める」接続拒否通知（音声案内）を発信側の電話機２Ｙに流すよう指示する第１の制御信号を送信すると共に（同Ｒ６）、音声案内手段７Ｃを発信側の電話機２Ｙに接続する処理を行う。
【００８８】
［発信側への音声案内１］
音声案内手段７Ｃは、上記接続制御手段５Ｃから、発信側への音声案内送信を指示する第１の制御信号を受けると（同ステップＲ６）、発信側の携帯電話機２Ｙに対して、「お掛けになった電話番号の携帯電話機は、ただいま、電池の残量が僅かとなっていますので、後日又は後刻、あらためてのご連絡をお願い致します。」とを音声で通知する（同ステップＲ８、図８）。
【００８９】
［着信拒否］
接続制御手段５Ｃは、音声案内手段７Ｃが、発信側の電話機への接続拒否通知（音声案内）を完了した後（同Ｒ８）、着信側の携帯電話機への接続処理を取り止める（同Ｒ１１）構成となっている。
【００９０】
［接続判定（判定結果４）］
これに対して、着信側の携帯電話機２Ｚの電池が「残り僅かな」状態で、発信側の携帯電話機が、着信許可リストにも着信拒否リストにも記載されていないときは、接続制御手段５Ｃは、着信側の携帯電話機への接続処理（同Ｓ７）へは進まずに、音声案内手段７Ｃに対して、次に述べる音声案内指示のための第２の制御信号を発行する（同Ｓ６）。すなわち、接続制御手段５Ｃは、音声案内手段７Ｃに対して、「緊急連絡又は重要連絡以外の接続要求の取り止め」を促すことを意図する電池事情についての音声案内を発信側の電話機に流すよう指示する第２の制御信号を送信すると共に（同Ｒ６）、音声案内手段７Ｃを発信側の電話機に接続する処理を行う。
【００９１】
［発信側への音声案内２］
音声案内手段７Ｃは、上記接続制御手段５Ｃから、発信側への音声案内送信を指示する第２の制御信号を受けると（同ステップＲ６）、発信側の電話機に対して、「着信側の携帯電話機の電池残量が僅かである」ことを音声で通知すると共に、緊急連絡又は重要連絡の場合の接続条件（停止条件）として、着信側の携帯電話機との接続要求継続を指定する方法を音声で案内するように構成されている（同Ｒ８）。例えば、発信側の電話機に対して、「お掛けになった電話番号の携帯電話機は、ただいま、電池の残量が僅かとなっております。緊急連絡又は重要連絡等でなければ、後日又は後刻、あらためてのご連絡をお願い致します。」と、続いて、例えば、「緊急連絡又は重要連絡なら、おつなぎしますので、ボタン＃１を押してください。」と、続いて、例えば、「１０秒以内にボタン＃１が押されないときは、接続処理を中止致します。」との通知を音声信号で順次送信する。
【００９２】
［発信側の選択］
発信者は、音声案内手段７Ｃからの通知により、携帯電話機２Ｚの電池残量が僅かであることを承知する。そして、携帯電話機２Ｚへの接続を引き続き望むか、あるいは、断念するかの判断を迫られる（図９の判定３）。ここで、緊急事項又は重要事項を伝えたいために、携帯電話機２Ｚを発呼しているときは、携帯電話機２Ｚの電池残量が僅かでも、（緊急連絡又は重要連絡を受け得る電池量は残存していることを認識できるので、）音声案内手段７Ｃからの音声案内に従って、ボタン＃１を押下して、携帯電話機２Ｚとの接続を要求する（同Ｐ９）。
これに対して、緊急又は重要な用件のために電話している訳ではないときは、発信者は、着信側の電池残量事情を配慮して、携帯電話機２Ｚへの発呼を取り止める（同ステップＲ１１）。発信者が、ボタン＃１を押さず、終話ボタンを押すか、そのまま１０秒間何も操作しなければ、回線は切断される（同ステップＲ１１）。
【００９３】
［接続要求］
接続制御手段５Ｃは、音声案内手段７Ｃから発信側の携帯電話機への音声案内が完了した後、所定の時間Ｔ２（この例では、１０秒の時間）が経過するまで、発信側の携帯電話機２Ａからの信号を待つ。この所定の時間Ｔ２内に、発信側の携帯電話機が、ボタン＃１を押下すると、発信側の携帯電話機から接続制御手段５Ｃへ接続要求信号が送信される。接続制御手段５Ｃは接続要求信号を受信すると、携帯電話機２Ｚへの接続処理を行う（同Ｓ７）。
【００９４】
［通話］
携帯電話機２Ｚが、通話ボタンを押すことで、発呼信号に応答すると、発信側の携帯電話機と携帯電話機２Ｚとが通話状態になる（同ステップＳ１０）。これにより、発信側の携帯電話機と携帯電話機２Ｂとの間で緊急の連絡事項又は重要な連絡事項の授受が行われる。
【００９５】
［接続中止］
一方、接続制御手段５Ｃは、期間Ｔ２（１０秒）を経過するまでの間に、発信側の携帯電話機から接続要求信号を受け取らなかったとき、あるいは、期間Ｔ２（１０秒）を経過する前に、発信側の携帯電話機から回線切断信号を受け取ったときは、携帯電話機２Ｚへの接続処理を終了する（同ステップＲ１１）。
【００９６】
このように、この第５の実施形態によっても、第３の実施形態において述べたと同様の効果を得ることができる。加えて、この第５の実施形態の構成によれば、電池残量が僅かになったときは、着信側の携帯電話機からでも、特定の発信側の電話機に対して、事前に、着信許可又は着信拒否を制御できる。これにより、電池残量が僅かになったときでも、ＶＩＰからの発呼を円滑かつ迅速に受けることができる。
さらに、この第５の実施形態の構成によれば、着信側の恣意を、発信側の判断に優先させることができる。例えば、家族や親友からの心地良い電話等は、着信側の恣意により、重要連絡として、着信許可リストに記載することができる。
【実施形態６】
【００９７】
図１０は、この発明の第６の実施形態による無線通信システムの動作処理の流れを示すフローチャートである。
この実施形態の無線通信システムは、図１０に示すように、固定電話機や携帯電話機２Ａ等の発信側の電話機と着信側の携帯電話機２Ｂと、これらの電話機２Ａ、２Ｂ間を無線通信で接続する無線通信接続システム３Ｅとから構成されている。
この無線通信接続システム３Ｅの特徴は、同図に示すように、携帯電話機２Ｂが、加入者データ管理手段６Ｄに「電池の残量が僅かである」ことを通知した後、充電により電池が回復したときは、その間に、携帯電話機２Ｂへの接続を取り止めた発信者に対して、当該発信者の電話番号を携帯電話機２Ｂに通知する未接続電話番号通知サービスを第３の実施形態（図５）に付加するようにした点である。
【００９８】
この実施形態では、図１０に示すように、加入者データ管理手段６Ｄは、加入者の電話機の位置情報、電波受信状態、及び管轄交換局情報等の本来の加入者データ、及び加入者の「電池残量状況」（図１０のステップＳ１）を登録管理する機能（第３の実施形態と同様の機能）に加え、電池の残量状況通知後充電回復前の未接続電話番号（この例では、携帯電話機２Ａの電話番号）を「未接続電話番号」リストに登録する機能（同ステップＬ１１）も備えている。
【００９９】
音声案内手段７Ｄは、着信側の携帯電話機２Ｂの「電池残量が僅かである」ときに携帯電話機２Ａから発呼があった場合において（図１０のステップＳ１−Ｓ４）、接続制御手段５Ｄから、発信側への音声案内送信を指示する制御信号を受けると（同ステップＳ６）、発信側の携帯電話機２Ａに対して、「着信側の携帯電話機２Ｂの電池残量が僅かである」ことを音声で通知すると共に、緊急連絡又は重要連絡の場合の接続条件として、着信側の携帯電話機２Ｂとの接続要求継続を指定する方法、及び緊急連絡又は重要連絡ではない場合の未接続電話番号の登録を指定する方法を音声で案内する（同ステップＰ８）。例えば、発信側の携帯電話機２Ａに対して、「お掛けになった電話番号の携帯電話機は、ただいま、電池の残量が僅かとなっております。緊急連絡又は重要連絡等でなければ、後日又は後刻、あらためてのご連絡をお願い致します。電話があったことを相手様にお伝えしますので、ボタン＃３を押してください。」と、続いて、例えば、「緊急連絡又は重要連絡なら、おつなぎしますので、ボタン＃１を押してください。」と、続いて、例えば、「１０秒以内にどのボタンも押されないときは、接続処理を中止致します。」との通知を音声信号で順次送信する。ここで、発信側の携帯電話機２Ａの図示せぬボタン＃３は、「未接続電話番号通知要求」ボタンとして機能するようになっている。
【０１００】
接続制御手段５Ｄは、上述した第３の実施形態の処理（図５）に加えて、発信側の電話機２Ａのボタン＃３が押下されたときは、発信側の電話機２Ａの電話番号を加入者データ管理手段６Ｄに転送して、「未接続電話番号」として登録を依頼する（同ステップＬ１１）。
【０１０１】
携帯電話機２Ｂは、電池が充電により回復したときは、携帯電話機２Ｂの図示せぬ電池残量通知手段が、制御チャネルを用いて、電池が回復したことを知らせる電池回復信号を加入者データ管理手段６Ｄに送信する。
加入者データ管理手段６Ｄは、携帯電話機２Ｂから電池回復信号を受信すると（同ステップＬ１２）、携帯電話機２Ｂに関する「電池残量状況」の管理項目の内容を、「残り僅かな状態である」から「残量に余裕が有る」に書き替える。この後、「未接続電話番号」リストを参照して、その中に記載されている携帯電話機２Ａの電話番号を携帯電話機２Ｂに通知する（同ステップＬ１３）。上記以外の処理は、第３の実施形態で述べたと同様であるので、説明を省略する。
【０１０２】
このように、この第６の実施形態によれば、第３の実施形態において述べたと同様の効果を得ることができる。加えて、この第６の実施形態の構成によれば、着信側の携帯電話機は、電池の残量状況通知後充電回復前の期間に生じた未接続電話履歴を把握することができるので、着信側の電池回復後の対応の助けとなる。
【実施形態７】
【０１０３】
図１１は、この発明の第７の実施形態による携帯電話機用の無線通信システムの概略構成を示す模式図である。
この実施形態の無線通信システム１Ｆは、図１１に示すように、プレゼンス未対応の携帯電話機２Ａ、２Ｂやプレゼンス対応の携帯電話機２Ｃ、２Ｄと、これらの電話機２Ａ、２Ｂ、２Ｃ、２Ｄ間を無線通信で接続する無線通信接続システム３Ｆとから構成されている。
上記無線通信接続システム３Ｆは、図１１に示すように、任意の携帯電話機２Ａ、２Ｂ、２Ｃ，２Ｄ同士を無線等で接続して回線を成立させる接続制御手段５Ｅと、加入者データを登録管理する加入者データ管理手段６Ｅと、発信側の電話機に音声による電池残量通知サービスを行う音声案内手段７Ａと、着信側の電池の残量状態をプレゼンス情報として提供するプレゼンスサーバ（電池事情案内手段）８とから構成されている。
【０１０４】
上記無線通信接続システム３Ｆでは、プレゼンス機能と連携することで、上記した各実施形態で述べたような電池残量通知サービス又はこれに準じたサービスを、プレゼンス未対応の携帯電話機２Ａ、２Ｂからプレゼンス対応の携帯電話機２Ｃ、２Ｄへの発呼処理（接続要求処理）、及びプレゼンス対応の携帯電話機２Ｃ又は２Ｄから、他のプレゼンス対応の携帯電話機２Ｄ又は２Ｃやプレゼンス未対応の携帯電話機２Ａ、２Ｂへの発呼処理にまで拡張して実施できる構成となっている。プレゼンス未対応の固定電話機及びプレゼンス対応の固定電話機から携帯電話機への発呼についても同様である。
【０１０５】
ここで、プレゼンス対応の携帯電話機２Ｃ、２Ｄとは、自機の電池残量状態をプレゼンス情報として他のメンバ（プレゼンス対応の携帯電話機）に通知することができると共に、他のメンバ（プレゼンス対応の携帯電話機）の電池残量状態をプレゼンス情報として受信して表示することができる機能（プレゼンス機能）を備えた携帯電話機であり、プレゼンス未対応の携帯電話機２Ａ、２Ｂとは、このようなプレゼンス機能を備えていない電話機である。
【０１０６】
無線通信システム１Ｆにおいて、プレゼンスサーバ８は、各メンバ（プレゼンス対応の携帯電話機２Ｃ、２Ｄ）から送信されてくる、電池残量状態に関するプレゼンス情報（図１１のＴ１、Ｋ１）を記憶管理し、要求に応じて、他のメンバ（プレゼンス対応の携帯電話機２Ｄ、２Ｃ）に通知する（同K２、Ｔ２）機能を備え、さらに、次のような機能も有している。すなわち、このプレゼンスサーバ８は、メンバの携帯電話機（プレゼンス対応の携帯電話機２Ｃ、２Ｄ）の電池残量が所定の基準値まで低下すると、プレゼンス情報の中に、「お掛けになった電話番号の携帯電話機は、ただいま、電池の残量が僅かとなっております。緊急連絡又は重要連絡等でなければ、後日又は後刻、あらためてのご連絡をお願い致します。」との警告メッセージを挿入して、他のメンバ（プレゼンス対応の携帯電話機２Ｄ、２Ｃ）に送信すると共に、当該携帯電話機の「電池の残量が僅かである」ことを知らせる残量通知信号を生成して、無線通信接続システム１Ｆ内の加入者データ管理手段６Ｅに送信する（同Ｍ１）。
【０１０７】
上記加入者データ管理手段６Ｅは、プレゼンス未対応の携帯電話機２Ｂ等からの残量通知信号（同Ｓ1）を受け付けると、携帯電話機２Ｂ等の「電池が残り僅かである」との情報をプレゼンス情報（同Ｍ２）としてプレゼンスサーバ８に送信する。一方、加入者データ管理手段６Ｅは、プレゼンスサーバ８から、プレゼンス対応の携帯電話機２Ｃ、２Ｄの「電池の残量が僅かである」ことを知らせる残量通知信号を受信すると、本来の加入者データと共に、加入者の携帯電話機の電池状態が、「残り僅かな（残量に余裕が無い）」状態である」ことを登録して管理する。
【０１０８】
次に、図１１を参照して、第７の実施形態による無線通信システム１Ｆの動作について説明する。
［プレゼンス対応の電話機からプレゼンス対応の携帯電話機への発信］
プレゼンスサーバ８は、電池残量管理サーバとして、あるメンバ（プレゼンス対応の携帯電話機２Ｃ又は２Ｄ）から送信されてくる、電池残量状態（図１１のＴ１又はＫ１）を記憶管理する。この状態において、他のメンバ（プレゼンス対応の携帯電話機２Ｄ又は２Ｃ）が、あるメンバ（携帯電話機２Ｃ又は２Ｄ）の様子を知りたいとき、プレゼンスサーバ８に、あるメンバ（携帯電話機２Ｃ又は２Ｄ）のプレゼンス情報の提供を要求する。プレゼンスサーバ８は、要求元の携帯電話機２Ｄ又は２Ｃに、携帯電話機２Ｃ又は２Ｄの電池残量を含むプレゼンス情報を通知する（同Ｔ２、Ｋ２）。このようにして取得されたプレゼンス情報は、携帯電話機２Ｄ又は２Ｃの表示部に表示されるので、他のメンバは、接続したい携帯電話機２Ｃ又は２Ｄの電池残量状況を把握できる。他のメンバは、表示されたプレゼンス情報を見て、接続したい携帯電話機２Ｃ又は２Ｄの電池残量状況が厳しくなっていると思えば、相手の携帯電話機の電池事情に配慮して、緊急連絡又は重要連絡以外の用件のための発信を取り止めるかも知れない。そうであるならば、電池切れの時期を引き延ばすことが期待できる。
【０１０９】
ここで、プレゼンスサーバ８は、他のメンバからあるメンバのプレゼンス情報の要求を受けたとき、あるメンバ（携帯電話機２Ｃ又は２Ｄ）の電池残量が所定の基準値まで低下している状態であるならば、プレゼンス情報の中に、「お掛けになった電話番号の携帯電話機は、ただいま、電池の残量が僅かとなっております。緊急連絡又は重要連絡等でなければ、後日又は後刻、あらためてのご連絡をお願い致します。」との警告メッセージを挿入して、他のメンバ（携帯電話機２Ｄ又は２Ｃ）に送信する。携帯電話機２Ｄ又は２Ｃの表示部には、受信された警告メッセージも画面表示される。それゆえ、他のメンバは、画面表示された警告メッセージを見て、緊急連絡又は重要連絡以外の発信を取り止めるであろうから、電池の節約をさらに期待できる。なお、この警告メッセージは、他のメンバが、電話を掛けようとしたときに、画面表示するようにしても良い。
【０１１０】
［プレゼンス対応の電話機からプレゼンス未対応の携帯電話機への発信］
加入者データ管理手段６Ｅは、あるメンバ（プレゼンス未対応の携帯電話機２Ｂ）からの残量通知信号（同Ｓ1）を受け付けると、「携帯電話機２Ｂの電池は残り僅かである」との情報をあるメンバ（プレゼンス未対応の携帯電話機２Ｂ）のプレゼンス情報（同Ｍ２）としてプレゼンスサーバ８に送信する。
プレゼンスサーバ８は、加入者データ管理手段６Ｅから送信されてくる、「携帯電話機２Ｂの電池は残り僅かである」との情報を、「電池残量が所定の基準値まで低下している状態」のプレゼンス情報（同Ｍ２）として記憶管理する。
この状態において、他のメンバ（プレゼンス対応の携帯電話機２Ｄ又は２Ｃ）が、プレゼンス未対応の携帯電話機２Ｂの電池状態を知りたいとき、プレゼンスサーバ８に、あるメンバ（プレゼンス未対応の携帯電話機２Ｂ）のプレゼンス情報の提供を要求する。プレゼンスサーバ８は、要求元の携帯電話機２Ｄ又は２Ｃに、プレゼンス未対応の携帯電話機２Ｂのプレゼンス情報を通知する（同Ｋ２、Ｔ２）。このプレゼンス情報の中には、「お掛けになった電話番号の携帯電話機は、ただいま、電池の残量が僅かとなっております。緊急連絡又は重要連絡等でなければ、後日又は後刻、あらためてのご連絡をお願い致します。」との警告メッセージを含まれている。それゆえ、他のメンバは、画面表示された警告メッセージを見て、緊急連絡又は重要連絡以外の発信を取り止めるであろうから、電池の節約を期待できる。
【０１１１】
［プレゼンス未対応の電話機からプレゼンス対応の携帯電話機への発信］
プレゼンスサーバ８は、各メンバ（プレゼンス対応の携帯電話機２Ｃ、２Ｄ）から送信されてくる、電池残量状態に関するプレゼンス情報（図１１のＴ１、Ｋ１）を記憶管理すると共に、メンバの携帯電話機（プレゼンス対応の携帯電話機２Ｃ又は２Ｄ）の電池残量が所定の基準値まで低下すると、「当該携帯電話機の電池残量が僅かである」ことを知らせる残量通知信号を生成して、無線通信接続システム３Ｆ内の加入者データ管理手段６Ｅに送信する（同Ｍ１）。加入者データ管理手段６Ｅは、プレゼンスサーバ８から、プレゼンス対応の携帯電話機２Ｃ又は２Ｄの「電池残量が僅かである」ことを知らせる残量通知信号を受信すると、本来の加入者データと共に、加入者の携帯電話機２Ｃ又は２Ｄの電池状態が、「残り僅かな状態である」ことを登録して管理する。
この状態において、プレゼンス未対応の携帯電話機２Ａが、プレゼンス対応の携帯電話機２Ｃ又は２Ｄに発呼（接続要求）をしてきたときは、接続制御手段５Ｅは、加入者データ管理手段６Ｅに、携帯電話機２Ｃ又は２Ｄの位置情報、電波受信状態、及び管轄交換局情報等、本来の加入者データを要求すると共に、携帯電話機２Ｃ又は２Ｄの「電池残量状況」について問い合わせる。この後に行われる各処理は、第３の実施形態（図４）で述べたと同様であるので、図１１において、図４の処理と共通する各処理については、図４と同一の符号を付して、その説明を省略する。
【０１１２】
このように、この実施形態の無線通信システム１Ｆによれば、プレゼンス機能と連携することができるので、上記した各実施形態で述べたような電池残量通知サービスを、プレゼンス未対応の携帯電話機２Ａ、２Ｂからプレゼンス対応の携帯電話機２Ｃ、２Ｄへの発呼処理（接続要求処理）にまで拡張することができる。また、プレゼンス対応の携帯電話機２Ｃ又は２Ｄから、他のプレゼンス対応の携帯電話機２Ｄ又は２Ｃ及びプレゼンス未対応の携帯電話機２Ａ、２Ｂへの発呼処理の際にも、着信側の電池残量を把握できる。それゆえ、上記した各実施形態で述べたような電池残量通知サービスの適用範囲の拡大を図ることができる。
【０１１３】
以上、この発明の実施形態を図面を参照して詳述してきたが、具体的な構成はこの実施形態に限られるものではなく、この発明の要旨を逸脱しない範囲の設計の変更等があってもこの発明に含まれる。
例えば、ＩＭＳ／ＭＭＤ（IP Multimedia Subsystem/Multimedia Domain）等のオールＩＰベースの通信制御システムに、上述した第７の実施形態の処理手順を適用することができる。すなわち、プレゼンスと発呼処理を連携させて通信を制御することで、着信側の携帯電話機の電池残量が少ない場合に緊急連絡又は重要連絡以外は、着信しないようにして、電池を節約することができる。例えば、プレゼンスサーバに電池残量情報を通知しておき、電池残量が少ない状態で着信した場合、着信側のアプリケーションサーバが、電池残量が少ないというプレゼンス情報を元に、上記した第３の実施形態（特に、図５のステップＳ６（接続判定）、ステップＰ８（緊急連絡等接続要求）、ステップＰ８（案内指示）、ステップＳ１１（終了））と同等の処理を行うことで実現できる。
【０１１４】
また、上記した第２の実施形態では、発信側の通信端末が、所定の時間が経過するまで、終話ボタンを押下しなかったときは、無線通信接続システムは、着信側の携帯通信端末への接続処理に進むようにしたが、音声案内手段による案内がなされた後、直ぐに、着信側の携帯通信端末への接続処理に進むようにしても良い。発信者は、当該接続処理が進む間にも、着信側の電池事情に配慮して、終話ボタンを押下することが期待できるためである。
このように、上記した各実施形態で述べたように、発信側に、「緊急連絡又は重要連絡なら、おつなぎしますので、ボタン＃１を押してください。」との案内を伝えなくとも、発信者は、着信側の電池事情に配慮して、終話ボタンを押下することが期待できる。要するに、「接続しようとする携帯通信端末には、現在、緊急連絡又は重要連絡受信用の電池量しか残存していない」との電池事情を案内するだけでも、緊急連絡や重要連絡を受信できる待機状態を維持しつつ、不必要な電池の消耗を防止できる。
それゆえ、上記した各実施形態で述べたような音声案内手段に限らず、着信側の携帯電話機そのものの処理を必要としない無線通信接続システム側のサービス、例えば、音声再生サービスや留守番電話サービス、転送サービス等で対応することによっても、電池を節約することができる。
【０１１５】
また、携帯通信端末が、無線通信接続システムに「電池の残量状況」を量的表示で通知する残量状況通知手段を備えるようにし、無線通信接続システムのデータ管理手段が、携帯通信端末から通知を受けた量的表示の「電池の残量状況」を保存し更新し管理すると共に、電池切れが近い状況にまで、当該電池の残量が低下しているか否かを判断して接続制御手段に知らせるように構成しても良い。
【産業上の利用可能性】
【０１１６】
この発明の無線通信システムは、携帯電話機同士の通信に限らず、固定電話機から携帯電話機への発信にも適用できる。また、プレゼンス機能と連携することで、携帯電話機に限らず、携帯データ処理装置等の携帯通信端末にも適用できる。要するに、電池残量を考慮する必要のある携帯通信端末が関与する、通信全体の分野に適用できる。
【図面の簡単な説明】
【０１１７】
【図１】この発明の第１の実施形態による携帯電話機用の無線通信システムの概略構成を示す模式図である。
【図２】この発明の第２の実施形態による携帯電話機用の無線通信システムの概略構成を示す模式図である。
【図３】同無線通信システムの動作処理の流れを示すフローチャートである。
【図４】この発明の第３の実施形態による携帯電話機用の無線通信システムの概略構成を示す模式図である。
【図５】同無線通信システムの動作処理の流れを示すフローチャートである。
【図６】この発明の第４の実施形態による携帯電話機用の無線通信システムの概略構成を示す模式図である。
【図７】同無線通信システムの動作処理の流れを示すフローチャートである。
【図８】この発明の第５の実施形態による携帯電話機用の無線通信システムの概略構成を示す模式図である。
【図９】同無線通信システムの動作処理の流れを示すフローチャートである。
【図１０】この発明の第６の実施形態による携帯電話機用の無線通信システムの概略構成を示す模式図である。
【図１１】この発明の第７の実施形態による携帯電話機用の無線通信システムの概略構成を示す模式図である。
【符号の説明】
【０１１８】
１、１Ａ、１Ｂ、１Ｃ、１Ｄ、１Ｆ      無線通信システム
２Ａ、２Ｃ、２Ｄ、２Ｘ、２Ｙ      携帯電話機（通信端末）
２Ｂ、２Ｚ      携帯電話機（携帯通信端末）
３、３Ａ、３Ｂ、３Ｃ、３Ｄ、３Ｅ、３Ｆ      無線通信接続システム
４        残量状況保存手段
５、５Ａ、５Ｂ、５Ｃ、５Ｄ、５Ｅ      接続制御手段
６、６Ｃ、６Ｄ、６Ｅ        加入者データ管理手段（データ管理手段）
７、７Ａ、７Ｂ、７Ｃ、７Ｄ        音声案内手段（電池事情案内手段）
８      プレゼンスサーバ（電池事情案内手段）
【図１】
2009177509.tif 000003
【図２】
2009177509.tif 000004
【図３】
2009177509.tif 000005
【図４】
2009177509.tif 000006
【図５】
2009177509.tif 000007
【図６】
2009177509.tif 000008
【図７】
2009177509.tif 000009
【図８】
2009177509.tif 000010
【図９】
2009177509.tif 000011
【図１０】
2009177509.tif 000012
【図１１】
2009177509.tif 000013